(57)【特許請求の範囲】
【請求項１】
遠隔勤務を支援する遠隔勤務支援システムであって、
サーバと、１つ以上の勤務者端末と、遠隔勤務者を含む１人以上の勤務者の状態を検出する１つ以上の検出装置と、を備え、
前記サーバは、
前記検出装置により検出された検出情報を取得し、
前記検出情報に基づいて、前記各勤務者に対応し前記各勤務者の動きを反映した各仮想勤務者を生成し、
前記各仮想勤務者の情報を前記各勤務者端末へ送信し、
前記各勤務者端末は、
前記各仮想勤務者の情報を前記サーバから取得し、
前記各勤務者が勤務する社内の部屋に対応する仮想部屋の情報を取得し、
前記仮想部屋に配置される仮想物体の情報を取得し、
前記仮想部屋、前記各仮想勤務者、及び前記仮想物体のうち少なくとも一つを、前記各勤務者端末が備える表示部の第１の表示領域に表示し、
前記第１の表示領域に表示された前記仮想勤務者又は前記仮想物体に対する操作を、前記各勤務者端末が備える操作部が検出した場合、前記操作に対応する情報を前記表示部の第２の表示領域に表示し、
前記各勤務者端末は、
前記各勤務者が属する階層的な組織の情報を取得し、
前記組織の情報を前記第１の表示領域に表示し、
前記操作部を介して前記階層的な組織のうちの任意の組織を指定し、
指定された組織が配置された前記仮想部屋において、前記組織に属する前記各勤務者の前記各検出情報に基づいて、前記組織に属する前記各勤務者に対応する前記各仮想勤務者を表示する、
遠隔勤務支援システム。
【請求項２】
前記検出装置は、前記勤務者を含む画像を撮像する１つ以上の撮像装置を含み、
前記サーバは、前記撮像装置から前記検出情報として前記画像を順次取得する、
請求項１に記載の遠隔勤務支援システム。
【請求項３】
前記各勤務者は、第１の勤務者を含み、
前記サーバは、
前記検出情報に基づいて、前記第１の勤務者が離席しているか否かを判定し、
前記第１の勤務者が離席している場合、前記第１の勤務者に対応し、前記仮想部屋の第１の仮想勤務者用の第１の仮想席から離席している第１の仮想勤務者を生成し、
前記第１の勤務者が着席している場合、前記第１の勤務者に対応し、前記仮想部屋の前記第１の仮想勤務者用の前記第１の仮想席に着席している前記第１の仮想勤務者を生成し、
前記第１の仮想勤務者の情報を前記各勤務者端末に送信し、
前記各勤務者端末は、
前記第１の仮想勤務者の情報を前記サーバから取得し、
前記第１の仮想勤務者を前記第１の表示領域に表示する、
請求項１又は２に記載の遠隔勤務支援システム。
【請求項４】
前記サーバは、
前記第１の勤務者が着席していると判定された着席時間を算出し、
前記第１の勤務者の着席時間に基づいて、前記第１の勤務者の勤務時間を算出する、
請求項３に記載の遠隔勤務支援システム。
【請求項５】
前記各勤務者端末は、
前記各勤務者が遠隔勤務者であるか否かに応じて、前記各勤務者に対応する前記各仮想勤務者を異なる表示態様で表示する、
請求項１〜４のいずれか１項に記載の遠隔勤務支援システム。
【請求項６】
前記仮想物体は、前記勤務者が閲覧可能な仮想資料を含み、
前記各勤務者端末は、前記操作部を介して前記仮想資料を指定した場合、前記仮想資料の内容を前記第２の表示領域に表示する、
請求項１〜５のいずれか１項に記載の遠隔勤務支援システム。
【請求項７】
前記仮想資料は、前記各勤務者が個人で閲覧可能な個人資料と、各勤務者が共有して閲覧可能な共通資料と、を含み、
前記各勤務者端末は、前記操作部を介して指定された前記個人資料又は前記共通資料の内容を、前記第２の表示領域に表示する、
請求項６に記載の遠隔勤務支援システム。
【請求項８】
遠隔勤務を支援する遠隔勤務支援システムであって、
サーバと、１つ以上の勤務者端末と、遠隔勤務者を含む１人以上の勤務者の状態を検出する１つ以上の検出装置と、を備え、
前記サーバは、
前記検出装置により検出された検出情報を取得し、
前記検出情報に基づいて、前記各勤務者に対応し前記各勤務者の動きを反映した各仮想勤務者を生成し、
前記各仮想勤務者の情報を前記各勤務者端末へ送信し、
前記各勤務者端末は、
前記各仮想勤務者の情報を前記サーバから取得し、
前記各勤務者が勤務する社内の部屋に対応する仮想部屋の情報を取得し、
前記仮想部屋に配置される仮想物体の情報を取得し、
前記仮想部屋、前記各仮想勤務者、及び前記仮想物体のうち少なくとも一つを、前記各勤務者端末が備える表示部の第１の表示領域に表示し、
前記第１の表示領域に表示された前記仮想勤務者又は前記仮想物体に対する操作を、前記各勤務者端末が備える操作部が検出した場合、前記操作に対応する情報を前記表示部の第２の表示領域に表示し、
前記各勤務者端末は、
複数の前記勤務者が出席するリモート対話の開始を検出し、
前記リモート対話の開始の検出に基づいて、前記仮想部屋としての前記リモート対話を行うための仮想対話室と、前記リモート対話に出席する各出席者に対応する前記各仮想勤務者と、を前記第１の表示領域に表示する、
遠隔勤務支援システム。
【請求項９】
前記各勤務者端末は、
前記第１の表示領域に表示されている前記仮想勤務者に対して行った前記操作部を介した操作により前記リモート対話の開始を検出し、前記操作に応じた種別のリモート対話を開始する、
請求項８に記載の遠隔勤務支援システム。
【請求項１０】
前記各勤務者端末は、
前記リモート対話がリモート相談である場合、前記リモート対話の開始の検出に基づいて、前記リモート相談の相手との間でチャットを行うためのチャット領域を表示し、
前記リモート対話が前記リモート相談以外のリモート対話である場合、前記リモート対話の種別に応じたレイアウトの前記仮想対話室を前記第１の表示領域に表示する、
請求項８又は９に記載の遠隔勤務支援システム。
【請求項１１】
前記出席者に対応する前記各勤務者端末は、
音声入力部と、音声出力部と、を備え、
前記リモート対話の開始の検出に基づいて、前記音声入力部による音声入力が可能な状態とし、前記音声出力部による音声出力が可能な状態とする、
請求項８〜１０のいずれか１項に記載の遠隔勤務支援システム。
【請求項１２】
前記出席者に対応する前記各勤務者端末は、
音声入力部を備え、
前記音声入力部により入力された音声の音声情報を前記サーバへ送信し、
前記サーバは、
前記各勤務者端末から各音声情報を取得し、
前記各音声情報に対して音声認識して各文字情報に変換し、
前記各文字情報を要約して議事録データを生成する、
請求項８〜１１のいずれか１項に記載の遠隔勤務支援システム。
【請求項１３】
前記サーバは、
前記各勤務者端末からの前記各音声情報を分析して前記各出席者の感情を推定し、
前記各出席者の感情に基づいて、前記議事録データを生成する、
請求項１２に記載の遠隔勤務支援システム。
【請求項１４】
前記検出装置は、前記出席者を含む画像を撮像する１つ以上の撮像装置を含み、
前記サーバは、
前記各撮像装置から前記各画像を取得し、
前記各画像を分析して前記各出席者の感情を推定し、
前記各出席者の感情に基づいて、前記議事録データを生成する、
請求項１２に記載の遠隔勤務支援システム。
【請求項１５】
前記出席者に対応する前記各勤務者端末は、
音声入力部を備え、
前記音声入力部により入力された音声の音声情報を前記サーバへ送信し、
前記サーバは、
前記各勤務者端末から各音声情報を取得し、
前記リモート対話中の自己紹介の区間を検出し、
前記自己紹介の区間の前記各音声情報を分析して各出席者の名前を判別し、
前記各出席者の名前の情報を、前記各出席者に対応する前記各勤務者端末へ送信し、
前記各出席者に対応する前記各勤務者端末は、
前記サーバから前記各出席者の名前の情報を取得し、
前記各出席者に対応する前記各仮想勤務者に対応して、前記各出席者の名前の情報を表示する、
請求項８〜１４のいずれか１項に記載の遠隔勤務支援システム。
【請求項１６】
前記検出装置は、前記出席者を含む画像を撮像する１つ以上の撮像装置を含み、
前記各勤務者端末は、
前記リモート対話中、前記出席者に対応する前記仮想勤務者の顔又は体を、前記画像に基づいて生成された前記出席者の顔又は体をデフォルメした顔又は体の画像に置換して、前記仮想勤務者を表示する、
請求項８〜１５のいずれか１項に記載の遠隔勤務支援システム。
【請求項１７】
遠隔勤務を支援する遠隔勤務支援方法であって、
遠隔勤務者を含む１人以上の勤務者の状態を検出して検出情報を生成し、
前記検出情報に基づいて、前記各勤務者に対応し前記各勤務者の動きを反映した各仮想勤務者を生成し、
前記各勤務者が勤務する社内の部屋に対応する仮想部屋の情報を取得し、
前記仮想部屋に配置される仮想物体の情報を取得し、
前記仮想部屋、前記仮想勤務者、及び前記仮想物体のうち少なくとも一つを、１つ以上の勤務者端末が備える表示部の第１の表示領域に表示し、
前記第１の表示領域に表示された前記仮想勤務者又は前記仮想物体に対する操作を、前記各勤務者端末が備える操作部が検出した場合、前記操作に対応する情報を前記表示部の第２の表示領域に表示し、
前記各勤務者が属する階層的な組織の情報を取得し、
前記組織の情報を前記第１の表示領域に表示し、
前記操作部を介して前記階層的な組織のうちの任意の組織を指定し、
指定された組織が配置された前記仮想部屋において、前記組織に属する前記各勤務者の前記各検出情報に基づいて、前記組織に属する前記各勤務者に対応する前記各仮想勤務者を表示する、
遠隔勤務支援方法。
【請求項１８】
遠隔勤務を支援する遠隔勤務支援方法であって、
遠隔勤務者を含む１人以上の勤務者の状態を検出して検出情報を生成し、
前記検出情報に基づいて、前記各勤務者に対応し前記各勤務者の動きを反映した各仮想勤務者を生成し、
前記各勤務者が勤務する社内の部屋に対応する仮想部屋の情報を取得し、
前記仮想部屋に配置される仮想物体の情報を取得し、
前記仮想部屋、前記仮想勤務者、及び前記仮想物体のうち少なくとも一つを、１つ以上の勤務者端末が備える表示部の第１の表示領域に表示し、
前記第１の表示領域に表示された前記仮想勤務者又は前記仮想物体に対する操作を、前記各勤務者端末が備える操作部が検出した場合、前記操作に対応する情報を前記表示部の第２の表示領域に表示し、
複数の前記勤務者が出席するリモート対話の開始を検出し、
前記リモート対話の開始の検出に基づいて、前記仮想部屋としての前記リモート対話を行うための仮想対話室と、前記リモート対話に出席する各出席者に対応する前記各仮想勤務者と、を前記第１の表示領域に表示する、
遠隔勤務支援方法。
【発明の詳細な説明】
【技術分野】
【０００１】
本開示は、遠隔勤務を支援する遠隔勤務支援システム及び遠隔勤務支援方法に関する。
【背景技術】
【０００２】
従来、仮想環境の下で会議を開くための方法が知られている。例えば、複数の人の間で会議を開く方法であって、各人を表すアバターと製造設備の３次元モデル（３Ｄモデル）を表示するバーチュアルディスプレイを含むバーチュアル会議室を複数の人の各人用ディスプレイ上に出力するステップと、３次元モデルのオブジェクトの選択を受け取るステップと、選択された３次元モデルオブジェクトに関する情報をバーチュアルディスプレイ上に表示するステップと、複数の人の各人用ディスプレイ上に、バーチュアル会議室と、選択された３次元モデルオブジェクトに関する情報を示すバーチュアルディスプレイとを出力するステップと、からなる会議を開く方法が知られている（特許文献１参照）。
【先行技術文献】
【特許文献】
【０００３】
【特許文献１】特開２０１１−５１９４３８号公報
【発明の概要】
【発明が解決しようとする課題】
【０００４】
特許文献１では、仮想環境において、３次元モデルのオブジェクトを選択可能であることが記載されているが、各人の動きがアバターにどのように具体的に反映されるかについて考慮されていない。また、最近、感染症の拡大によりリモートワーク（遠隔勤務）が推奨されるようになってきている。
【０００５】
例えば特許文献１の技術を仮想環境の下でのリモートワーク（例えばデスクワーク、リモート会議）の再現に適用する場合、勤務者の動きが反映されないことで、勤務者が勤務する会社内で業務を行っているような臨場感が不十分である可能性がある。また、実空間の勤務者とこの勤務者に対応する仮想空間のアバターとの連携が不十分であることで、例えばリモートワーク中に各勤務者の業務状態が分かり難いことがある。また、勤務者が仮想環境に対する操作に連動して必要な情報が得られると、直感的に理解し易くなり、業務効率の向上を期待できるので好ましい。
【０００６】
本開示は、上記事情に鑑みてなされたものであり、遠隔勤務中でも、社内で業務しているような臨場感があり、各勤務者の状態を直感的に認識できる遠隔勤務支援システム及び遠隔勤務支援方法を提供する。
【課題を解決するための手段】
【０００７】
本開示の一態様は、遠隔勤務を支援する遠隔勤務支援システムであって、サーバと、１つ以上の勤務者端末と、遠隔勤務者を含む１人以上の勤務者の状態を検出する１つ以上の検出装置と、を備え、前記サーバは、前記検出装置により検出された検出情報を取得し、前記検出情報に基づいて、前記各勤務者に対応し前記各勤務者の動きを反映した各仮想勤務者を生成し、前記各仮想勤務者の情報を前記各勤務者端末へ送信し、前記各勤務者端末は、前記各仮想勤務者の情報を前記サーバから取得し、前記各勤務者が勤務する社内の部屋に対応する仮想部屋の情報を取得し、前記仮想部屋に配置される仮想物体の情報を取得し、前記仮想部屋、前記各仮想勤務者、及び前記仮想物体のうち少なくとも一つを、前記各勤務者端末が備える表示部の第１の表示領域に表示し、前記第１の表示領域に表示された前記仮想勤務者又は前記仮想物体に対する操作を、前記各勤務者端末が備える操作部が検出した場合、前記操作に対応する情報を前記表示部の第２の表示領域に表示し、前記各勤務者端末は、前記各勤務者が属する階層的な組織の情報を取得し、前記組織の情報を前記第１の表示領域に表示し、前記操作部を介して前記階層的な組織のうちの任意の組織を指定し、指定された組織が配置された前記仮想部屋において、前記組織に属する前記各勤務者の前記各検出情報に基づいて、前記組織に属する前記各勤務者に対応する前記各仮想勤務者を表示する、遠隔勤務支援システムである。
本開示の一態様は、遠隔勤務を支援する遠隔勤務支援システムであって、サーバと、１つ以上の勤務者端末と、遠隔勤務者を含む１人以上の勤務者の状態を検出する１つ以上の検出装置と、を備え、前記サーバは、前記検出装置により検出された検出情報を取得し、前記検出情報に基づいて、前記各勤務者に対応し前記各勤務者の動きを反映した各仮想勤務者を生成し、前記各仮想勤務者の情報を前記各勤務者端末へ送信し、前記各勤務者端末は、前記各仮想勤務者の情報を前記サーバから取得し、前記各勤務者が勤務する社内の部屋に対応する仮想部屋の情報を取得し、前記仮想部屋に配置される仮想物体の情報を取得し、前記仮想部屋、前記各仮想勤務者、及び前記仮想物体のうち少なくとも一つを、前記各勤務者端末が備える表示部の第１の表示領域に表示し、前記第１の表示領域に表示された前記仮想勤務者又は前記仮想物体に対する操作を、前記各勤務者端末が備える操作部が検出した場合、前記操作に対応する情報を前記表示部の第２の表示領域に表示し、前記各勤務者端末は、複数の前記勤務者が出席するリモート対話の開始を検出し、前記リモート対話の開始の検出に基づいて、前記仮想部屋としての前記リモート対話を行うための仮想対話室と、前記リモート対話に出席する各出席者に対応する前記各仮想勤務者と、を前記第１の表示領域に表示する、遠隔勤務支援システムである。
【０００８】
本開示の一態様は、遠隔勤務を支援する遠隔勤務支援方法であって、遠隔勤務者を含む１人以上の勤務者の状態を検出して検出情報を生成し、前記検出情報に基づいて、前記各勤務者に対応し前記各勤務者の動きを反映した各仮想勤務者を生成し、前記各勤務者が勤務する社内の部屋に対応する仮想部屋の情報を取得し、前記仮想部屋に配置される仮想物体の情報を取得し、前記仮想部屋、前記仮想勤務者、及び前記仮想物体のうち少なくとも一つを、１つ以上の勤務者端末が備える表示部の第１の表示領域に表示し、前記第１の表示領域に表示された前記仮想勤務者又は前記仮想物体に対する操作を、前記各勤務者端末が備える操作部が検出した場合、前記操作に対応する情報を前記表示部の第２の表示領域に表示し、前記各勤務者が属する階層的な組織の情報を取得し、前記組織の情報を前記第１の表示領域に表示し、前記操作部を介して前記階層的な組織のうちの任意の組織を指定し、指定された組織が配置された前記仮想部屋において、前記組織に属する前記各勤務者の前記各検出情報に基づいて、前記組織に属する前記各勤務者に対応する前記各仮想勤務者を表示する、遠隔勤務支援方法である。
本開示の一態様は、遠隔勤務を支援する遠隔勤務支援方法であって、遠隔勤務者を含む１人以上の勤務者の状態を検出して検出情報を生成し、前記検出情報に基づいて、前記各勤務者に対応し前記各勤務者の動きを反映した各仮想勤務者を生成し、前記各勤務者が勤務する社内の部屋に対応する仮想部屋の情報を取得し、前記仮想部屋に配置される仮想物体の情報を取得し、前記仮想部屋、前記仮想勤務者、及び前記仮想物体のうち少なくとも一つを、１つ以上の勤務者端末が備える表示部の第１の表示領域に表示し、前記第１の表示領域に表示された前記仮想勤務者又は前記仮想物体に対する操作を、前記各勤務者端末が備える操作部が検出した場合、前記操作に対応する情報を前記表示部の第２の表示領域に表示し、複数の前記勤務者が出席するリモート対話の開始を検出し、前記リモート対話の開始の検出に基づいて、前記仮想部屋としての前記リモート対話を行うための仮想対話室と、前記リモート対話に出席する各出席者に対応する前記各仮想勤務者と、を前記第１の表示領域に表示する、遠隔勤務支援方法である。
【発明の効果】
【０００９】
本開示によれば、遠隔勤務中でも、社内で業務しているような臨場感があり、各勤務者の状態を直感的に認識できる。
【図面の簡単な説明】
【００１０】
【図１】第１の実施形態における遠隔勤務支援システムの構成例を示す図
【図２】検出装置の構成例を示すブロック図
【図３】サーバの構成例を示すブロック図
【図４】勤務者端末の構成例を示すブロック図
【図５Ａ】勤務者が着席中である場合の仮想空間領域の表示例を示す図
【図５Ｂ】勤務者が離席中である場合の仮想空間領域の表示例を示す図
【図６】遠隔勤務支援システムによる勤務者の動き情報の生成に係る動作例を示すシーケンス図
【図７Ａ】遠隔勤務支援システムによる組織に対応する仮想執務室の表示に係る動作例を示すシーケンス図
【図７Ｂ】遠隔勤務支援システムによる組織に対応する仮想執務室の表示に係る動作例を示すシーケンス図（図７Ａの続き）
【図８】組織に対応する仮想執務室を含む表示例を示す図
【図９Ａ】遠隔勤務支援システムによるリモート対話の開始の際の動作例を示すシーケンス図
【図９Ｂ】遠隔勤務支援システムによるリモート対話の開始の際の動作例を示すシーケンス図（図９Ａの続き）
【図１０】遠隔勤務支援システムによるリモート対話の終了の際の動作例を示すシーケンス図
【図１１Ａ】リモート会議の様子を示す表示例を示す図
【図１１Ｂ】特定領域に表示された仮想資料の一例を示す図
【図１２】リモート面談の様子を示す表示例を示す図
【図１３】遠隔勤務者に対応する仮想勤務者と社内勤務者に対応する仮想勤務者とを異なる表示態様で示した表示例を示す図
【発明を実施するための形態】
【００１１】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になることを避け、当業者の理解を容易にするためである。尚、添付図面及び以下の説明は、当業者が本開示を十分に理解するために提供されるものであり、これらにより特許請求の範囲に記載の主題を限定することは意図されていない。
【００１２】
例えば、実施形態でいう「部」又は「装置」とは単にハードウェアによって実現される物理的構成に限らず、その構成が有する機能をプログラムなどのソフトウェアにより実現されるものも含む。また、１つの構成が有する機能が２つ以上の物理的構成により実現されても、又は２つ以上の構成の機能が例えば１つの物理的構成によって実現されていても構わない。
【００１３】
（第１の実施形態）
図１は、遠隔勤務支援システム５の構成例を示す図である。遠隔勤務支援システム５は、検出装置１００、サーバ２００、及び勤務者端末３００を備える。検出装置１００、サーバ２００、及び勤務者端末３００は、相互にネットワークを介して通信可能に接続されてもよいし、相互にネットワークを介さずに直接通信可能に接続されてもよい。
【００１４】
遠隔勤務支援システム５は、少なくとも遠隔勤務者ＨＭ１を含む勤務者ＨＭの勤務を支援するシステムである。勤務者ＨＭは、遠隔勤務者ＨＭ１が所属する会社の社内で勤務する社内勤務者ＨＭ２を含んでよい。遠隔勤務者ＨＭ１は、例えば遠隔勤務者ＨＭ１が使用する勤務者端末３００を用いて遠隔で勤務（業務）を行う。社内勤務者ＨＭ２は、例えば社内勤務者ＨＭ２が使用する勤務者端末３００を用いて勤務（業務）を行う。
【００１５】
検出装置１００は、勤務者ＨＭの状態を検出するためのデータを検出する。検出装置１００は、少なくとも１つのセンサを含む。センサは、例えばカメラ、マイクロホン、赤外線センサ、レーザスキャナ、等を含んでよい。検出装置１００は、社内の各部屋ＲＳ（例えば、執務室、対話室（例えば会議室、面談室、面接室、相談室））、遠隔地の部屋ＲＲ（例えば遠隔勤務者ＨＭ１がデスクワークを行う自宅の部屋）、等に設置される。検出装置１００は、各部屋ＲＳ，ＲＲの壁や天井、その他の位置に設置されてよい。検出装置１００による検出範囲には勤務者ＨＭが位置する。検出装置１００は、各種センサにより検出された検出情報を、サーバ２００又は勤務者端末３００へ送信する。本実施形態では、検出装置１００がカメラを含むとして説明するが、上記のような他の検出装置１００も採用可能である。
【００１６】
サーバ２００は、勤務者ＨＭによる勤務を支援するための処理を行う。勤務者ＨＭによる勤務は、社内勤務、遠隔勤務（例えば在宅勤務）を含む。社内勤務は、社内勤務者ＨＭ２による社内でのデスクワーク業務、各種対話業務（例えば会議、面談、面接、相談）、等を含んでよい。遠隔勤務は、通信回線を介した、遠隔勤務者ＨＭ１による遠隔地（例えば遠隔勤務者ＨＭ１の自宅）でのリモートデスクワークの業務、各種リモート対話（例えばリモート会議、リモート面談、リモート面接）の業務、等を含んでよい。リモート対話とは、例えば、各勤務者ＨＭが異なる場所に所在した状態で、通信回線を介して各種対話を行うことである。
【００１７】
サーバ２００は、勤務者ＨＭによる勤務の状況を仮想空間上に表現するため、仮想空間に配置された仮想部屋ＲＶと、仮想部屋ＲＶに所在する仮想勤務者ＨＶと、の表示を支援する。仮想部屋ＲＶは、社内の各部屋ＲＳに対応する仮想的な部屋である。仮想部屋ＲＶは、仮想執務室ＲＶ１、仮想対話室ＲＶ２、等を含んでよい。仮想勤務者ＨＶは、勤務者ＨＭに対応する仮想的な勤務者であり、アバターに相当する。このように、サーバ２００は、仮想空間における情報を管理する。
【００１８】
勤務者端末３００は、勤務者ＨＭが勤務中に使用する端末であり、勤務者による業務を支援し、業務に関する処理を行う。勤務者端末３００は、例えば、デスクトップＰＣ（Personal Computer）、ノートＰＣ、タブレット、スマートフォン、その他の情報処理端末を含んでよい。勤務者端末３００は、社内で勤務に使用される部屋ＲＳ、遠隔地で遠隔勤務に使用される部屋ＲＲ、等に設置される。勤務者端末３００は、サーバ２００と協働して、仮想空間における仮想部屋ＲＶと仮想勤務者ＨＶとを表示する。
【００１９】
図２は、検出装置１００の構成例を示すブロック図である。検出装置１００は、制御部１１０、通信部１２０、記憶部１３０、カメラ１４０、位置取得部１６０、及び方向取得部１７０を備える。なお、検出装置１００は、位置取得部１６０及び方向取得部１７０を備えなくてもよい。また、検出装置１００は、カメラ１４０以外のセンサ（例えばレーザスキャナ）を備えてもよい。
【００２０】
制御部１１０は、例えば、プロセッサを含み、記憶部１３０に保持されたプログラムを実行することで、各種機能を実現する。プロセッサは、ＭＰＵ（Micro processing Unit）、ＣＰＵ（Central Processing Unit）、ＤＳＰ（Digital Signal Processor）、等を含んでよい。制御部１１０は、検出装置１００の各部を統括的に制御し、各種処理を行う。
【００２１】
通信部１２０は、各種データ、情報を通信する。通信部１２０による通信方式は、有線通信又は無線通信の方式でよく、例えば、ＷＡＮ（Wide Area Network）、ＬＡＮ（Local Area Network）、電力線通信、赤外線通信、携帯電話用のセルラー通信、等の通信方式を含んでよい。通信部１２０は、例えば、検出装置１００により検出された検出データ（例えば画像）及びその付加データを含む検出関連データを、サーバ２００に送信する。
【００２２】
記憶部１３０は、一次記憶装置（例えばＲＡＭ（Random Access Memory）やＲＯＭ（Read Only Memory））を含む。記憶部１３０は、二次記憶装置（例えばＨＤＤ（Hard Disk Drive）やＳＳＤ（Solid State Drive））や三次記憶装置（例えば光ディスク、ＳＤカード）を含んでよい。記憶部１３０は、その他の記憶装置を含んでよい。記憶部１３０は、各種データ、情報、プログラム等を記憶する。記憶部１３０は、検出装置１００の識別情報（検出装置ＩＤ）を保持してよい。検出装置１００の識別情報は、カメラ１４０の識別情報（カメラＩＤ）、等を含んでよい。
【００２３】
カメラ１４０は、カメラ１４０の撮像範囲を撮像し、撮像画像を得る。カメラ１４０の撮像範囲は、カメラ１４０の画角及び撮像方向に基づく。撮像画像は、動画でも静止画でよい。カメラ１４０は、常時撮像しても、定期的に撮像しても、所定のタイミングで撮像してもよい。撮像画像は、検出装置１００により検出される検出データの一例である。撮像範囲には、カメラ１４０が設置された部屋ＲＳ，ＲＲが含まれる。部屋ＲＳ，ＲＲには、勤務者ＨＭが所在し得る。カメラ１４０の画角は、１８０°や全方位（３６０°）などの広い画角であってもよいし、他の画角であってもよい。カメラ１４０の画角及び撮像方向は変更可能であってよく、つまりカメラ１４０の撮像範囲が変更可能であってよい。
【００２４】
位置取得部１６０は、例えばＧＰＳ（Global Positioning System）受信機を含み、検出装置１００の位置（配置位置）の情報を取得する。位置取得部１６０は、２次元位置（例えば緯度、経度）を取得してもよいし、３次元位置（例えば緯度、経度、高度）を取得してもよい。
【００２５】
方向取得部１７０は、磁気センサ、ＩＭＵ（Inertial Measurement Unit：慣性計測装置）、ジャイロセンサ、加速度センサ、等を含んでよい。方向取得部１７０は、検出装置１００による検出方向の情報を取得する。検出方向は、東西南北の方向（方位）や、鉛直方向上向きや鉛直方向下向き（重力方向）を基準とした上下方向を含んでよい。検出方向は、カメラ１４０による撮像方向でよい。カメラ１４０の撮像方向は、例えばカメラ１４０のレンズが向いている方向と一致してよい。
【００２６】
制御部１１０は、時計機能を有し、時刻のデータを取得する。例えば、制御部１１０は、検出データが検出された検出時刻のデータを取得してよい。また、制御部１１０は、検出装置ＩＤやカメラＩＤを記憶部１３０から取得してよい。
【００２７】
制御部１１０は、検出データとその付加データを含む検出関連データを生成してよい。検出データは、撮像画像を含む。付加データは、検出装置１００の配置位置、検出方向、検出時刻、検出装置ＩＤ、カメラＩＤ、等のデータの少なくとも１つを含んでよい。よって、付加データには、配置位置としてカメラ１４０による撮像位置、検出方向としてカメラ１４０による撮像方向、検出時刻としてカメラ１４０による検出時刻、等のデータが含まれてよい。
【００２８】
なお、検出装置１００（例えばカメラ）は、部屋ＲＳ，ＲＲ内の様々な位置から様々な方向を向いて、つまり検出位置や検出方向を変更しながら、検出データを得てよい。この検出データは、検出装置１００が設置された部屋ＲＳ，ＲＲの３Ｄ（３次元）点群データを生成するための元データとなってよい。
【００２９】
なお、検出装置１００は、単に検出データ（例えばカメラ１４０により撮像された画像）の検出を行って検出データをサーバ２００に提供してもよい。この場合、付加データが生成されず、検出関連データが付加データを含まなくてもよい。
【００３０】
図３は、サーバ２００の構成例を示すブロック図である。サーバ２００は、制御部２１０、通信部２２０、及び記憶部２３０を備える。
【００３１】
制御部２１０は、例えば、プロセッサを含み、記憶部２３０に保持されたプログラムを実行することで、各種機能を実現する。プロセッサは、ＭＰＵ、ＣＰＵ、ＤＳＰ、ＧＰＵ（Graphical Processing Unit）、等を含んでよい。制御部２１０は、サーバ２００の各部を統括的に制御し、各種処理を行う。
【００３２】
通信部２２０は、各種データ、情報を通信する。通信部２２０による通信方式は、有線通信又は無線通信の通信方式でよく、例えば、ＷＡＮ、ＬＡＮ、電力線通信、赤外線通信、携帯電話用のセルラー通信、等の通信方式を含んでよい。
【００３３】
例えば、通信部２２０は、検出装置１００から検出関連データを受信する。検出関連データは、カメラ１４０により撮像された撮像画像を含む。通信部２２０は、遠隔勤務支援システム５が備える複数の検出装置１００の全部又は一部から検出関連データを受信する。通信部２２０は、各検出装置１００の各カメラ１４０により同一又は異なる撮像時刻に撮像された複数の画像を取得してよい。
【００３４】
例えば、通信部２２０は、各勤務者端末３００との間で各種データや情報を通信する。例えば、仮想空間の情報の表示に関するデータや情報を通信し、仮想部屋ＲＶ、仮想勤務者ＨＶ、仮想的な物体である仮想物体ＯＶ、等の情報を通信してよい。通信部２２０は、各勤務者端末３００のカメラ３８０により撮像された画像及びその関連データ（例えば撮像位置、撮像時刻、撮像方向を示すデータ）を受信してもよい。
【００３５】
例えば、通信部２２０は、各勤務者端末３００から各勤務者端末３００により得られた音声情報及び画像を受信する。そして、通信部２２０は、音声情報及び画像を送信した勤務者端末３００以外の他の各勤務者端末３００へ、受信された音声情報及び画像を送信する。これにより、各勤務者端末３００において各勤務者端末３００により得られた音声情報及び画像を共有でき、例えばリモート対話に参加する各勤務者ＨＭが音声や画像を共有できる。
【００３６】
なお、通信部２２０により受信されたデータが記憶部２３０に記憶され、適時に記憶部２３０から読み出されて各種処理に用いられてよい。また、通信部２２０を介さずに記憶媒体等を介してこれらのデータが取得され、記憶部２３０に記憶され、適時に記憶部２３０から読み出されて各種処理に用いられてもよい。
【００３７】
記憶部２３０は、一次記憶装置（例えばＲＡＭやＲＯＭ）を含む。記憶部２３０は、二次記憶装置（例えばＨＤＤやＳＳＤ）や三次記憶装置（例えば光ディスク、ＳＤカード）を含んでよい。記憶部２３０は、その他の記憶装置を含んでよい。
【００３８】
記憶部２３０は、各種データ、情報、プログラム等を記憶する。記憶部２３０は、例えば、通信部２２０により検出装置１００又は各勤務者端末３００から取得されたデータを保持し、蓄積してもよい。記憶部２３０は、制御部２１０により生成されるデータ（例えば後述する３Ｄ点群データ、３Ｄモデル）を保持してよい。
【００３９】
記憶部２３０は、会社を構成する情報（例えば後述する会社の組織情報、勤務者ＨＭに関する勤務者情報、仮想部屋ＲＶの情報、仮想勤務者ＨＶの情報）を保持してよい。組織情報は、階層的な組織の情報（例えば部や課を含む情報）であってよく、組織図の形式で表現されてよい。勤務者情報は、勤務者ＨＭの名前、部署名、役職、等の情報を含んでよい。仮想部屋ＲＶの情報は、様々なレイアウトの仮想部屋ＲＶを含んでよい。仮想部屋ＲＶのレイアウトは、リモート対話の種別（例えばリモート会議、リモート面談）毎に用意されていてよい。仮想勤務者ＨＶの情報として、様々な外観（例えば様々な体形、様々な服装）の仮想勤務者ＨＶが用意されていてよい。仮想勤務者ＨＶの外観は、対応する勤務者ＨＭの勤務者情報毎に用意されていてよい。
【００４０】
制御部２１０は、各種機能を実現する構成部として、動き処理部２１２、組織表示処理部２１４、リモート対話処理部２１５、勤務情報管理部２１６、及び３Ｄモデル処理部２１７を備える。なお、制御部２１０は、３Ｄモデル処理部２１７を備えなくてもよい。
【００４１】
動き処理部２１２は、通信部２２０又は記憶部２３０から撮像画像を逐次取得する。動き処理部２１２は、撮像画像毎に、撮像画像に映り込んだ物体Ｏとその物体Ｏに関する情報を画像認識により得る。撮像画像に映り込んだ物体Ｏには、撮像画像が撮像された部屋ＲＳ，ＲＲに存在する物体Ｏが含まれ、例えば勤務者ＨＭ、勤務者ＨＭが業務するためのデスクＤＫや椅子Ｃ、デスクＤＫに置かれた勤務者端末３００、資料、文具、等が含まれてよい。物体に関する情報は、例えば、撮像画像が撮像された部屋において物体Ｏが存在する位置（３次元空間における３次元位置又は画像面における２次元位置）、物体Ｏの名称、物体Ｏの色、等の情報を含んでよい。
【００４２】
動き処理部２１２は、各撮像画像における物体Ｏの位置及び物体Ｏの形状の少なくとも１つを基に、部屋ＲＳ，ＲＲ内の物体Ｏの動きを判別し、この動きに関する動き情報を生成する。動き情報は、物体Ｏの種別（例えば勤務者ＨＭ）、物体Ｏの位置、物体Ｏの形状、等を基に、どのように物体Ｏが動いたかを示す情報でよい。また、動き処理部２１２は、検出データや検出関連データに基づいて、各勤務者ＨＭが、各勤務者ＨＭ用の椅子Ｃに着席しているか離席しているかを判定し、この判定結果を動き情報に含めてよい。よって、動き情報は、勤務者ＨＭが、勤務者ＨＭ用の椅子Ｃに着席しているか離席しているかの情報を含んでよい。また、動き情報は、勤務者ＨＭの体の少なくとも一部分（例えば顔、口、手、足）の動きを示す情報を含んでよい。
【００４３】
動き処理部２１２は、物体Ｏの動き情報に基づいて、物体Ｏの動きを反映した仮想物体ＯＶを生成する。例えば、動き処理部２１２は、各勤務者ＨＭの動き情報に基づいて、各勤務者ＨＭの動きを反映した各仮想勤務者ＨＶを生成してよい。この場合、動き処理部２１２は、所定の勤務者ＨＭが離席している場合、この勤務者ＨＭに対応し、仮想部屋ＲＶのこの仮想勤務者ＨＶ用の仮想椅子ＣＶから離席している状態の仮想勤務者ＨＶを生成してよい。また、動き処理部２１２は、所定の勤務者が着席している場合、この勤務者に対応し、仮想部屋ＲＶのこの仮想勤務者ＨＶ用の仮想椅子ＣＶに着席している状態の仮想勤務者ＨＶを生成してよい。
【００４４】
動き処理部２１２は、通信部２２０を介して、物体Ｏの動きが反映された仮想物体ＯＶの情報を勤務者端末３００へ送信する。例えば、動き処理部２１２は、通信部２２０を介して、各勤務者ＨＭの動きが反映された各仮想勤務者ＨＶの情報を勤務者端末３００へ送信してよい。
【００４５】
組織表示処理部２１４は、各勤務者ＨＭが勤務する会社内の組織に関する情報の表示を支援する。例えば、任意の組織が配置された会社内の部屋ＲＳに対応する仮想部屋ＲＶの表示を支援する。例えば、組織表示処理部２１４は、会社の組織の情報（例えば組織図ＳＺ）や仮想執務室ＲＶ１の情報を、通信部２２０を介して各勤務者端末３００に提供する。なお、仮想執務室ＲＶ１の情報として、仮想執務室ＲＶ１のテンプレートが用意されてよい。
【００４６】
組織表示処理部２１４は、組織の人数に基づいて、組織に属する勤務者ＨＭに対応する仮想勤務者ＨＶが配置される仮想執務室ＲＶ１のレイアウトやサイズの詳細（例えば仮想椅子の数や配置）を決定してよい。組織の人数は、組織情報に含まれていてよい。組織表示処理部２１４は、組織表示処理部２１４は、複数の仮想椅子ＣＶのそれぞれと、複数の仮想勤務者ＨＶのそれぞれと、を関連付ける。この関連付け情報は、記憶部２３０に記憶されてよい。また、複数の仮想勤務者ＨＶのそれぞれと、実空間の複数の勤務者ＨＭのそれぞれと、は関連付けられている。この関連付け情報は、記憶部２３０に記憶されていてよい。よって、勤務者ＨＭに対応する仮想勤務者ＨＶが着席可能な仮想椅子ＣＶは定まっている。
【００４７】
組織表示処理部２１４は、通信部２２０を介して、決定された仮想執務室ＲＶ１の情報、仮想勤務者ＨＶの情報、関連付け情報、等を各勤務者端末３００へ送信する。なお、仮想執務室ＲＶ１のレイアウトやサイズは、各勤務者端末３００の操作部３４０によって変更可能である。仮想執務室ＲＶ１は、撮像画像に基づいて２Ｄモデル又は３Ｄモデルとして生成されてもよい。仮想執務室ＲＶ１は、ＣＡＤ（Computer-Aided Design）により生成されてよい。
【００４８】
リモート対話処理部２１５は、勤務者ＨＭの少なくとも２人が出席するリモート対話に関する処理を行う。リモート対話は、リモート会議、リモート面談、リモート面接、リモート相談、等を含む。
【００４９】
リモート対話処理部２１５は、リモート対話の開始を検出する。例えば、リモート対話処理部２１５は、リモート対話の開始時刻をスケジュール情報として記憶部２３０を記憶しておき、現在時刻を計時し、現在時刻がリモート対話の開始時刻となった場合にリモート対話の開始を検出してよい。また、リモート対話処理部２１５は、例えば、少なくとも１つの勤務者端末３００からリモート対話の開始情報を取得した場合に、リモート対話の開始を検出してよい。なお、リモート対話のスケジュール情報は、リモート対話の出席者の識別情報（例えば出席者の名前、メールアドレス）、リモート対話の出席者、リモート対話の開始時刻及び終了時刻、等を含んでよい。
【００５０】
リモート対話処理部２１５は、リモート対話の終了を検出する。例えば、リモート対話処理部２１５は、リモート対話の終了時刻をスケジュール情報として記憶部２３０を記憶しおき、現在時刻を計時し、現在時刻がリモート対話の終了時刻となった場合にリモート対話の終了を検出する。また、リモート対話処理部２１５は、例えば、少なくとも１つの勤務者端末３００からリモート対話の終了情報を取得した場合に、リモート対話の終了を検出してよい。
【００５１】
リモート対話処理部２１５は、リモート対話が行われる仮想部屋ＲＶとしての仮想対話室ＲＶ２を決定する。リモート対話処理部２１５は、リモート対話の種別（例えばリモート会議、リモート面談）に応じて、仮想対話室ＲＶ２（例えば仮想会議室ＲＶ２１、仮想面談室ＲＶ２２）を決定してよい。リモート対話の種別に応じて、仮想対話室ＲＶ２のレイアウトが異なってよい。なお、仮想対話室ＲＶ２として、仮想対話室ＲＶ２のテンプレートが用意されてよい。
【００５２】
例えば、リモート対話がリモート会議の場合、仮想対話室ＲＶ２は、会議室を模したレイアウト（例えば仮想デスクＤＫＶや仮想ホワイトボードが配置されたレイアウト）を有してよい。リモート対話がリモート面談の場合、仮想対話室ＲＶ２は、面談室を模したレイアウト（例えばリモート面談参加者が仮想デスクＤＫＶを囲んで話し合いをし易いレイアウト）を有してよい。リモート対話がリモート面接の場合、仮想対話室ＲＶ２は、面接室を模したレイアウト（例えば仮想デスクＤＫＶが無く面談を受ける人物の全身を確認し易いレイアウト）を有してよい。リモート対話がリモート相談の場合、仮想対話室ＲＶ２は、相談室を模したレイアウトを有してよい。なお、リモート対話がリモート相談の場合、特別な仮想対話室ＲＶ２が用意されず、リモート相談前に所在する仮想部屋ＲＶから部屋が変更されず、リモート相談参加者が仮想部屋ＲＶを移動しなくてもよい。
【００５３】
リモート対話処理部２１５は、リモート対話に参加するリモート対話出席者ＨＭ３の人数に基づいて、リモート対話出席者ＨＭ３に対応する仮想リモート対話出席者ＨＶ３が配置される仮想対話室ＲＶ２のレイアウトやサイズの詳細（例えば仮想椅子の数や配置）を決定してよい。リモート対話出席者ＨＭ３の人数は、リモート対話のスケジュール情報、リモート対話の開始情報、等に含まれていてよい。組織表示処理部２１４は、複数の仮想椅子ＣＶのそれぞれと、複数の仮想リモート対話出席者ＨＶ３のそれぞれと、を関連付ける。この関連付け情報は、記憶部２３０に記憶されてよい。また、複数の仮想リモート対話出席者ＨＶ３のそれぞれと、実空間の複数のリモート対話出席者ＨＭ３のそれぞれと、は関連付けられている。この関連付け情報は、記憶部２３０に記憶されていてよい。よって、リモート対話出席者ＨＭ３に対応する仮想リモート対話出席者ＨＶ３が着席可能な仮想椅子ＣＶは定まっている。仮想対話室ＲＶ２のレイアウトやサイズは、各勤務者端末３００の操作部３４０によって変更可能である。
【００５４】
リモート対話処理部２１５は、通信部２２０を介して、決定された仮想対話室ＲＶ２の情報、仮想リモート対話出席者ＨＶ３の情報、関連付け情報、等を各勤務者端末３００に送信する。なお、仮想対話室ＲＶ２のレイアウトやサイズは、各勤務者端末３００の操作部３４０によって変更可能である。仮想対話室ＲＶ２は、撮像画像に基づいて２Ｄモデル又は３Ｄモデルとして生成されてもよい。仮想対話室ＲＶ２は、ＣＡＤにより生成されてよい。
【００５５】
リモート対話処理部２１５は、リモート対話の開始を検出すると、リモート対話時間の計測を開始する。リモート対話処理部２１５は、リモート対話の終了を検出すると、リモート対話時間の計測を終了する。これにより、リモート対話処理部２１５は、リモート対話時間を算出する。
【００５６】
リモート対話処理部２１５は、通信部２２０又は記憶部２３０から、リモート対話中に各勤務者端末３００のマイクロホン３６０により収音された各音声情報を取得する。この音声情報には、リモート対話に出席する勤務者ＨＭであるリモート対話出席者ＨＭ３による発話内容が含まれ得る。リモート対話処理部２１５は、取得された各音声情報を基に、リモート対話の内容を纏めた議事録データを生成する。議事録データは、リモート対話のタイトル、参加者の情報（例えば参加者名）、実施日、開始時刻、終了時刻、等の情報を含んでよい。参加者名は、参加者が所属する会社名を含んでもよい。議事録データを生成の際には、リモート対話処理部２１５は、取得された各音声情報を統合して、統合音声情報を生成してよい。そして、リモート対話処理部２１５は、統合音声情報を音声認識して、文字情報に変換（文章変換）してよい。そして、リモート対話処理部２１５は、文字情報を解析し、文字情報を要約して議事録データを生成してよい。リモート対話処理部２１５は、通信部２２０を介して議事録データを、各リモート対話出席者ＨＭ３に対応する各勤務者端末３００に送信する。リモート対話出席者ＨＭ３は、遠隔勤務者ＨＭ１であっても社内勤務者ＨＭ２であってもよい。
【００５７】
リモート対話処理部２１５は、リモート対話中の各リモート対話出席者ＨＭ３の感情を推定してよい。推定される感情は、喜怒哀楽のいずれかの感情、又はその他の感情を含んでよい。リモート対話処理部２１５は、取得された各音声情報又は統合音声情報を分析し、分析結果として各リモート対話出席者ＨＭ３の感情を推定してよい。音声情報に基づく分析には、例えば声色の分析が含まれてよい。また、リモート対話処理部２１５は、取得された各撮像画像を分析し、分析結果として各リモート対話出席者ＨＭ３の感情を推定してよい。
【００５８】
リモート対話処理部２１５は、各リモート対話出席者ＨＭ３の感情に基づいて、議事録データを生成してよい。この場合、リモート対話処理部２１５は、例えば、出席者の感情を示す補足情報（例えば発言Ａの際に勤務者Ａは嬉しそうであった、等）を議事録データに付記してよい。これにより、サーバ２００は、議事録データの有効性や価値を向上できる。補足情報は、声色の情報を含んでもよい。
【００５９】
ここで、議事録データの生成に係る具体例として、以下が考えられる。
【００６０】
リモート対話処理部２１５は、リモート対話全体を表す音声情報を、自然言語処理により、要約文に変換し、リモート対話の議事録データとして記憶部２３０に保存する。音声認識は、以下の手順で行われてよい。まず、リモート対話処理部２１５は、音響分析を行い、音声情報を基に音の強弱、音の周波数分解、音の間隔、音の時系列、などの特徴量データを作成する。リモート対話処理部２１５は、音響モデルとして例えばＤＮＮ−ＨＭＭ（Deep Neural Network-Hidden Markov Model）を用いて、特徴量データから音素（音声の最小単位）を決定する。リモート対話処理部２１５は、パターンマッチングモデルを加味し、発話辞書を用いたパターンマッチングにより、音素の並びを単語に変換する。リモート対話処理部２１５は、言語モデルとして例えばＲＮＮ（Recurrent Neural Network）を用いて、単語の並びから文章を作成する。
【００６１】
また、リモート対話処理部２１５は、音声認識による感情認識も、例えばＲＮＮを用いて行ってよい。この場合、リモート対話処理部２１５は、１文節に発話を含む音声情報を入力データとし、この発話に対応する喜怒哀楽と無感情を教師データの正解として、機械学習させることで、音声認識による感情認識を行ってよい。
【００６２】
また、リモート対話処理部２１５は、要約文作成の自然言語処理に、ＣＮＮ（Convolutional Neural Network）を用いてよい。例えば、リモート対話処理部２１５は、音声情報が示す文章を、対象とする単語の有無を０，１で表したＯｎｅ−Ｈｏｔ表現ベクトルに変換し、このＯｎｅ−Ｈｏｔ表現ベクトルをＣＮＮの入力データとし、Ｏｎｅ−Ｈｏｔ表現ベクトルに対応して用意した要約文を教師データとして、機械学習させることで、要約文を作成してよい。
【００６３】
このように、リモート対話処理部２１５は、音声認識、文書変換、及び文書要約をＡＩにより行うことで、議事録データを生成してよい。
【００６４】
リモート対話処理部２１５は、取得された各音声情報又は統合音声情報を基に、各勤務者ＨＭによる自己紹介の情報を抽出し、自己紹介に含まれる各勤務者ＨＭに関する情報である勤務者情報を生成してよい。例えば、リモート対話処理部２１５は、要約文の作成ＡＩ（Artificial Intelligence：人工知能）により、音声情報に含まれる自己紹介の部分（区間）を抽出し、各リモート対話出席者ＨＭ３の名前を解析し、この解析結果を利用して自己紹介であることを検出してよい。要約文の作成ＡＩの情報は、記憶部２３０に保持されていてよい。サーバ２００は、自己紹介に基づく勤務者情報を生成することで、各リモート対話出席者ＨＭ３が実際に対面して名刺交換をしなくても、各リモート対話出席者ＨＭ３の情報を得ることができ、リモート対話をスムーズに進行できる。リモート対話処理部２１５は、勤務者情報を、通信部２２０を介してサーバ２００に送信してよい。
【００６５】
リモート対話処理部２１５は、例えば上述の手法で生成された議事録データを、修正してもよい。リモート対話処理部２１５は、例えば勤務者端末３００の操作部３４０により入力された修正データを、通信部２２０を介して取得してよい。そして、修正データを基に、議事録データを修正してもよい。修正された議事録データは、記憶部２３０に保持されてよいし、通信部２２０を介して各勤務者端末３００に送信されてもよい。
【００６６】
リモート対話処理部２１５は、各勤務者端末３００からの各音声情報又は統合音声情報を記憶部２３０に記憶させて録音させてよい。つまり、サーバ２００は、リモート対話の対話内容を録音してよい。
【００６７】
リモート対話処理部２１５は、リモート対話の実施期間において、リモート対話出席者ＨＭ３に対応し仮想対話室ＲＶ２に所在する仮想リモート対話出席者ＨＶ３の顔部分又は体部分を、仮想リモート対話出席者ＨＶ３に対応するリモート対話出席者ＨＭ３のリアルタイムの顔画像又は体画像に置換してよい。リモート対話出席者ＨＭ３の顔画像又は体画像は、リモート対話出席者ＨＭ３の撮像により得られた撮像画像に含まれる顔画像又は体画像でもよいし、リモート対話出席者ＨＭ３を含む撮像画像に基づく３Ｄモデルに含まれる顔画像又は体画像でもよい。これにより、リモート対話時の臨場感が増す。また、リモート対話処理部２１５は、リモート対話の実施期間において仮想勤務者ＨＶの顔部分又は体部分を、リアルタイムの顔画像又は体画像をデフォルメした顔画像又は体画像、又は、リアルタイムの画像に基づく３Ｄモデルをデフォルメした顔画像又は体画像としてもよい。これにより、リモート対話時のプライバシー保護を重視できる。デフォルメの処理では、例えば対象物に対して所定の変形が施される。なお、顔部分の場合には顔画像に置換され、体部分の場合には体画像に置換される。
【００６８】
また、リモート対話処理部２１５は、リモート対話の実施期間において、仮想リモート対話出席者ＨＶ３の顔部分又は体部分を、仮想リモート対話出席者ＨＶ３に対応するリモート対話出席者ＨＭ３以外の顔画像又は体画像に置換してもよい。リモート対話出席者ＨＭ３以外の顔画像又は体画像は、いずれかの撮像画像に含まれる顔画像又は体画像でもよいし、撮像画像に基づく３Ｄモデルに含まれる顔画像又は体画像でもよいし、通信部２２０を介して外部装置から取得された顔画像又は体画像であってよい。３Ｄモデルの顔画像又は体画像に含まれる顔画像又は体画像は、３Ｄモデルの任意の位置を任意の方向から見た二次元画像であってよい。なお、顔部分の場合には顔画像に置換され、体部分の場合には体画像に置換される。
【００６９】
勤務情報管理部２１６は、各勤務者ＨＭの勤務に関する勤務情報を管理（勤怠管理）する。勤務情報は、勤務者ＨＭが勤務した勤務時間、勤務時間内に勤務者ＨＭが行った業務内容、等の情報を有する。勤務情報管理部２１６は、各勤務者ＨＭの動き情報に基づいて、業務内容を認識する。業務内容は、社内勤務者ＨＭ２によるデスクワーク業務や各種対話業務、遠隔勤務者ＨＭ１によるリモートデスクワーク業務や各種リモート対話業務、等を含んでよい。
【００７０】
勤務情報管理部２１６は、各勤務者ＨＭの動き情報に基づいて、各勤務者ＨＭの勤務時間を算出してよい。例えば、勤務情報管理部２１６は、動き情報によって判別される着席状態及び離席状態を基に、各勤務者ＨＭが着席していた時間（着席時間）を算出してよい。また、勤務情報管理部２１６は、各勤務者ＨＭの動き情報に依らずに、各勤務者ＨＭの勤務時間を算出してよい。この場合、勤務情報管理部２１６は、各勤務者ＨＭが着席していると判定された着席時間を算出してよい。そして、勤務情報管理部２１６は、勤務情報管理部２１６は、各勤務者ＨＭの着席時間に基づいて、各勤務者ＨＭの勤務時間を算出してよい。この場合、単に着席時間の合計を勤務時間としてもよいし、着席時間と他の要素（例えば各勤務者ＨＭの業務内容、作業効率）とを基に勤務時間を算出してもよい。勤務情報管理部２１６は、勤務情報を記憶部２３０に記憶させてよい。勤務情報は、勤務表の形式を有してもよい。
【００７１】
３Ｄモデル処理部２１７は、通信部２２０又は記憶部２３０から検出関連データを取得する。３Ｄモデル処理部２１７は、検出関連データに基づいて、３Ｄ復元技術に従って、勤務者ＨＭを含む３Ｄ点群データを生成してよい。この場合、３Ｄモデル処理部２１７は、複数の検出データ（例えば撮像画像）に基づいて、３Ｄ点群データを生成してよい。３Ｄモデル処理部２１７は、複数の検出データ及びその付加データに基づいて、３Ｄ点群データを生成してよい。３Ｄモデル処理部２１７は、カメラ１４０による撮像位置、撮像方向、撮像時刻、等を加味して、３Ｄ点群データを生成してよい。３Ｄ点群データは、各位置の３次元座標の集合を示す。３Ｄ点群の生成方法には、公知の技術が用いられてよい。
【００７２】
また、３Ｄモデル処理部２１７は、３Ｄ点群データの特徴を抽出して、各種の点群処理を行う。３Ｄ点群データの特徴抽出は、例えば、主成分分析、マルチスケール特徴抽出法、又はその他の手法に基づいて実施されてよい。３Ｄモデル処理部２１７は、３Ｄ点群データの特徴抽出により、点群が示す形状の推定、点群間の対応付け、点群内の類似した特徴を持つ部分の認識、レジストレーション（位置合わせ）、セグメンテーション（領域抽出）、物体認識、等を行ってよい。
【００７３】
３Ｄモデル処理部２１７は、３Ｄ点群データに基づいて、３次元モデル（３Ｄモデル）を生成する。３次元モデルの生成では、ポリゴン生成、テクスチャマッピング、色情報の付加、等が行われてよく、公知の技術が用いられてよい。
【００７４】
３Ｄモデル処理部２１７は、検出関連データを逐次取得し、３Ｄ点群データを逐次生成し、３Ｄモデルを逐次生成してよい。この場合、サーバ２００は、３Ｄ点群データや３Ｄモデルの時系列の変化を認識できる。３Ｄモデル処理部２１７は、３Ｄ点群データ又は３Ｄモデルに基づいて、勤務者ＨＭの動き情報を生成してよい。
【００７５】
なお、３Ｄモデル処理部２１７は、検出装置１００からの検出関連データの代わりに、検出装置１００からの検出関連データとともに、各勤務者端末３００のカメラ３８０により撮像された画像に基づいて、３Ｄ点群データの生成、３Ｄモデルの生成、各種点群処理、動き情報の生成、等を行ってもよい。
【００７６】
図４は、勤務者端末３００の構成例を示すブロック図である。勤務者端末３００は、制御部３１０、通信部３２０、記憶部３３０、操作部３４０、表示部３５０、マイクロホン３６０、スピーカ３７０、及びカメラ３８０を備える。
【００７７】
制御部３１０は、例えば、プロセッサを含み、記憶部３３０に保持されたプログラムを実行することで、各種機能を実現する。プロセッサは、ＭＰＵ、ＣＰＵ、ＤＳＰ、等を含んでよい。制御部３１０は、勤務者端末３００の各部を統括的に制御し、各種処理を行う。制御部３１０は、例えば、サーバ２００と連携し、表示部３５０に表示される画像を生成したり加工したりする。制御部３１０は、例えば、表示部３５０が有する仮想空間領域に表示される仮想物体ＯＶに対して、操作部３４０によりクリック操作やドラッグ操作を受けると、この操作に関連付けられた処理を実行してよい。
【００７８】
通信部３２０は、各種データ、情報を通信する。通信部３２０による通信方式は、有線通信又は無線通信の通信方式でよく、例えば、ＷＡＮ、ＬＡＮ、電力線通信、赤外線通信、携帯電話用のセルラー通信、等の通信方式を含んでよい。通信部３２０は、例えば、サーバ２００から、仮想部屋ＲＶの情報、仮想勤務者ＨＶの情報、勤務者ＨＭの動き情報、仮想部屋に配置された物体の詳細情報、勤務者情報、等を受信する。
【００７９】
なお、通信部３２０により受信されたデータが記憶部３３０に記憶され、適時に記憶部３３０から読み出されて各種処理に用いられてよい。また、通信部３２０を介さずに記憶媒体等を介してこれらのデータが取得され、記憶部３３０に記憶され、適時に記憶部３３０から読み出されて各種処理に用いられてもよい。
【００８０】
記憶部３３０は、一次記憶装置（例えばＲＡＭやＲＯＭ）を含む。記憶部３３０は、二次記憶装置（例えばＨＤＤやＳＳＤ）や三次記憶装置（例えば光ディスク、ＳＤカード）を含んでよい。記憶部３３０は、その他の記憶装置を含んでよい。
【００８１】
操作部３４０は、キーボード、マウス、キー、ボタン、タッチパネル、タッチパッド、等を含んでよい。操作部３４０は、各種操作を受け付ける。各種操作は、タッチ操作、ドラッグ操作、左クリック操作、右クリック操作、等を含んでよい。例えば、操作部３４０が仮想部屋ＲＶに所在する仮想勤務者ＨＶの表示位置で右クリック操作を受け付けた場合、制御部３１０は、リモート対話の依頼が可能である。つまり、実空間で勤務者ＨＭに対して肩を叩く等して対話を依頼する代わりに、勤務者端末３００は、仮想空間上の操作によってリモート対話を依頼可能である。
【００８２】
表示部３５０は、液晶表示デバイス、有機ＥＬデバイス、又はその他の表示デバイスを含んでよい。表示部３５０は、各種データや情報を表示する。例えば、表示部３５０は、実空間の部屋ＲＳが仮想空間で再現された仮想部屋ＲＶを表示する。仮想部屋ＲＶの表示は、仮想部屋ＲＶのリアルタイムの表示でも非リアルタイムの表示でもよい。例えば、表示部３５０は、仮想部屋ＲＶに配置された任意の仮想物体ＯＶに関する詳細情報を表示する。表示部３５０は、勤務者端末３００が通常作業するための情報（通常作業情報）を表示する。通常作業情報は、例えば、勤務者端末３００としてのＰＣやタブレットのデスクトップ画面、ホーム画面、勤務者端末３００の各種アプリケーションの実行中に表示される画面、等の情報を含んでよい。
【００８３】
表示部３５０は、複数の表示領域を有してよい。複数の表示領域は、仮想空間の情報を表示する仮想空間領域Ｄ１、物体の詳細情報を表示する特定領域Ｄ２、通常作業情報を表示する通常作業領域Ｄ３、等を含む。仮想空間領域Ｄ１には、会社の組織図、各種の仮想部屋ＲＶ、等の会社を構成する情報が表示されてよい。特定領域Ｄ２には、例えば仮想物体ＯＶとしての仮想資料ＯＶ１の内容（例えば電子的な文書ファイルに保持された文書の詳細情報）、仮想物体ＯＶに対応する実空間の部屋ＲＳ，ＲＲ内に存在する物体Ｏの情報（例えば物体の名称、物体に関するその他の情報）等が表示される。表示部３５０は、特定領域Ｄ２に仮想物体ＯＶの詳細情報を表示することで、仮想空間領域Ｄ１の仮想物体ＯＶの位置に表示するよりも広い表示スペースを確保でき、例えば仮想物体ＯＶとして仮想資料ＯＶ１の内容を拡大して表示できる。また、特定領域Ｄ２には、仮想物体ＯＶの詳細情報として、仮想物体ＯＶに対応する実空間の物体Ｏが撮像された画像（例えば拡大された画像）が単に表示されてもよい。
【００８４】
マイクロホン３６０は、勤務者端末３００の周囲の音を収音し、音声情報を生成する。勤務者端末３００の周囲の音は、例えばリモート対話中にマイクロホン３６０の周囲に所在する勤務者ＨＭが発生した音声を含む。通信部３２０は、マイクロホン３６０により得られた音声情報をサーバ２００に送信する。
【００８５】
スピーカ３７０は、各種音を出力する。例えば、スピーカ３７０は、通信部２２０を介してリモート対話中に各勤務者ＨＭが発言した音声等を取得し、出力する。
【００８６】
カメラ３８０は、勤務者端末３００の周辺を撮像する。カメラ３８０による撮像範囲には、勤務者端末３００を使用する勤務者ＨＭが含まれ得る。カメラ３８０により撮像された画像は、記憶部３３０に保持されてもよいし、通信部３２０によりサーバ２００に送信されてもよい。カメラ３８０により撮像された画像は、検出装置１００により撮像された画像と同様に扱われてよく、例えば、各勤務者ＨＭの動き情報の生成に用いられたり、部屋ＲＳや勤務者ＨＭに対応する３Ｄモデルの生成に用いられたりしてよい。
【００８７】
なお、勤務者端末３００は、カメラ３８０を備えても備えなくてもよい。各勤務者端末３００がカメラ３８０を備える場合、検出装置１００を備えずに、勤務者端末３００が検出装置１００の機能を有していてもよい。
【００８８】
制御部３１０は、各種機能を実現する構成部として、組織表示処理部３１４、リモート対話処理部３１５、及び表示制御部３１７、を備える。
【００８９】
組織表示処理部３１４は、各勤務者ＨＭが勤務する会社内の組織に関する情報の表示に関する処理を行う。例えば、組織表示処理部３１４は、組織図を表示部３５０に表示させる。組織表示処理部３１４は、操作部３４０を介して社内の複数の組織から１つ以上の組織を指定し、指定された組織が配置された部屋ＲＳに対応する仮想執務室ＲＶ１を表示させる。組織表示処理部３１４は、表示対象の仮想執務室ＲＶ１が複数ある場合、順次いずれか１つの仮想執務室ＲＶ１が表示させてもよいし、複数の表示対象の仮想執務室ＲＶ１を同時に表示させてもよい。
【００９０】
組織表示処理部３１４は、通信部２２０を介して、仮想執務室ＲＶ１の情報、仮想勤務者ＨＶの情報、関連付け情報、等を取得する。組織表示処理部３１４は、仮想執務室ＲＶ１に仮想椅子ＣＶを配置して表示させる。仮想椅子ＣＶには、関連付けられた仮想勤務者ＨＶが着席可能である。
【００９１】
リモート対話処理部３１５は、リモート対話に関する処理を行う。
【００９２】
リモート対話処理部３１５は、リモート対話の開始を検出する。例えば、リモート対話処理部３１５は、リモート対話の開始時刻をスケジュール情報として記憶部３３０に記憶しておき、現在時刻を計時し、現在時刻がリモート対話の開始時刻となった場合にリモート対話の開始を検出する。また、リモート対話処理部３１５は、操作部３４０を介してリモート対話の開始操作を受けることで、リモート対話の開始を検出してもよい。これらの場合、リモート対話処理部３１５は、通信部３２０を介して、リモート対話が開始したことを示すリモート対話の開始情報をサーバ２００に送信する。リモート対話の開始情報は、リモート対話の種別（例えばリモート会議、リモート面談）、開始時刻、対話のテーマ（例えば議題）、等の情報を含んでよい。
【００９３】
具体的な例として、勤務者Ａが勤務者Ｂとの間でリモート対話を行うとする。この場合、勤務者Ａの勤務者端末３００のリモート対話処理部３１５は、操作部３４０を介して、仮想部屋ＲＶに所在しリモート対話を希望する勤務者Ｂに対応する仮想勤務者ＨＶに対してクリック操作を受け、各種処理の中からリモート対話を指定する。リモート対話の指定を基に、勤務者端末３００の通信部３２０及びサーバ２００の通信部２２０を介して、リモート対話の依頼が勤務者Ｂの勤務者端末３００へ通知される。勤務者Ｂの勤務者端末３００は、リモート対話処理部３１５は、リモート対話の依頼を受け、操作部３４０を介して、リモート対話の開始時刻（例えば、今から、ＸＸ時ＹＹ分（ＸＸ、ＹＹは任意の数）から、又は明日以降」を指定する。リモート対話の開始時刻は、勤務者端末３００の通信部３２０及びサーバ２００の通信部２２０を介して、勤務者Ａの勤務者端末３００へ通知される。通知された開始時刻は、リモート対話のスケジュール情報として、記憶部３３０に保持されてよい。通知されたリモート対話の開始時刻になると、リモート対話処理部３１５は、リモート対話の開始を検出する。
【００９４】
リモート対話処理部３１５は、リモート対話の終了を検出する。例えば、リモート対話処理部３１５は、リモート対話の終了時刻をスケジュール情報として記憶部３３０を記憶しておき、現在時刻を計時し、現在時刻がリモート対話の終了時刻となった場合にリモート対話の終了を検出する。また、リモート対話処理部３１５は、操作部３４０を介してリモート対話の終了操作を受けることで、リモート対話の終了を検出してもよい。これらの場合、リモート対話処理部３１５は、通信部３２０を介して、リモート対話が終了したことを示すリモート対話の終了情報をサーバ２００に送信する。
【００９５】
リモート対話処理部３１５は、通信部２２０を介して、リモート対話の種別に応じた仮想対話室ＲＶ２の情報、仮想リモート対話出席者ＨＶ３の情報、関連付け情報、等を取得する。リモート対話処理部３１５は、仮想対話室ＲＶ２に仮想椅子ＣＶを配置して表示させる。仮想椅子ＣＶには、関連付けられた仮想リモート対話出席者ＨＶ３が着席可能である。
【００９６】
リモート対話処理部３１５は、リモート対話の開始を検出した場合、マイクロホン３６０による音声入力が可能な状態とし、スピーカ３７０による音声出力が可能な状態としてよい。つまり、操作部３４０を介してリモート対話のための音声入力を可能な状態となるよう設定しなくても、操作部３４０を介してリモート対話のための音声出力を可能な状態となるよう設定しなくても、リモート対話の開始に基づいて自動的に音声入力及び音声出力できる。この場合、勤務者端末３００は、リモート対話出席者ＨＭ３の手間を低減でき、マイクロホン３６０やスピーカ３７０が設定し忘れにより有効になっていないことを抑制できる。音声入力が可能な状態にすることは、マイクロホン３６０の電源をオンにすること、マイクロホン３６０の音声入力機能を有効にすること、マイクロホン３６０による信号入力レベルを上げること、等を含んでよい。音声出力が可能な状態にすることは、スピーカ３７０の電源をオンにすること、スピーカ３７０の音声出力機能を有効にすること、スピーカ３７０による信号出力レベルを上げること、等を含んでよい。
【００９７】
リモート対話処理部３１５は、リモート対話の終了を検出した場合、マイクロホン３６０による音声入力が不能な状態とし、スピーカ３７０による音声出力が不能な状態としてよい。つまり、操作部３４０を介してリモート対話のための音声入力を不能な状態となるよう設定しなくても、操作部３４０を介してリモート対話のための音声出力を不能な状態となるよう設定しなくても、リモート対話の終了に基づいて自動的に音声入力及び音声出力を不能にできる。この場合、勤務者端末３００は、リモート対話出席者ＨＭ３の手間を低減でき、マイクロホン３６０やスピーカ３７０が設定し忘れにより無効になっていないことを抑制できる。音声入力が不能な状態にすることは、マイクロホン３６０の電源をオフにすること、マイクロホン３６０の音声入力機能を無効にすること、マイクロホン３６０による信号入力レベルを下げること、等を含んでよい。音声出力が不能な状態にすることは、スピーカ３７０の電源をオフにすること、スピーカ３７０の音声出力機能を無効にすること、スピーカ３７０による信号出力レベルを下げること、等を含んでよい。
【００９８】
リモート対話処理部３１５は、通信部３２０又は記憶部３３０から勤務者情報を取得し、対応する仮想リモート対話出席者ＨＶ３に対応付けて表示部３５０に表示させてよい。この場合、リモート対話処理部３１５は、仮想リモート対話出席者ＨＶ３に対して勤務者情報が記載された名札を付して表示させてよい。
【００９９】
リモート相談処理部３１６は、リモート対話としてのリモート相談の開始を検出すると、リモート相談の相手とチャットするためのチャット領域を表示部３５０に表示させる。チャット領域の表示は、リモート相談元及びリモート相談先の双方の勤務者端末３００において実施される。これにより、リモート相談元の勤務者端末３００は、リモート相談の相手の勤務者端末３００との間でチャットを実施できる。
【０１００】
なお、他のリモート対話（例えばリモート会議、リモート面談、リモート面接）中であっても、リモート相談を開始してよい。この場合、リモート対話処理部３１５は、例えば仮想対話室ＲＶ２内のいずれかの仮想リモート対話出席者ＨＶ３に対する操作を受け付けることで、上記のように、リモート対話としてのリモート相談を依頼してよい。
【０１０１】
なお、リモート対話がリモート相談の場合には、リモート相談処理部３１６は、少なくともチャット領域の表示を行ってチャットが可能な状態とすればよく、その他の処理を省略してもよい。例えば、リモート相談の時間管理、マイクロホン３６０及びスピーカ３７０のＯＮ／ＯＦＦ、議事録データの作成、の処理が省略されてもよい。
【０１０２】
表示制御部３１７は、表示部３５０へのデータや情報の表示を制御する。例えば、表示制御部３１７は、データや情報の内容に応じて、表示部３５０におけるどの表示領域に表示するかを制御する。表示制御部３１７は、仮想空間の情報の一例である仮想部屋ＲＶ、仮想勤務者ＨＶ、仮想物体ＯＶ、等を仮想空間領域Ｄ１に表示するよう制御してよい。表示制御部３１７は、指定された仮想物体ＯＶの詳細情報を特定領域Ｄ２に表示するよう制御してよい。表示制御部３１７は、通常作業に係るデータや情報を通常作業領域Ｄ３に表示するよう制御してよい。
【０１０３】
表示制御部３１７は、各勤務者ＨＭに対応し、各勤務者ＨＭの動きが反映された各仮想勤務者ＨＶを表示させる。つまり、表示制御部３１７は、仮想部屋ＲＶの表示では、実空間の各部屋ＲＳ，ＲＲに所在する各勤務者ＨＭの動きを、対応する仮想部屋ＲＶに所在する各仮想勤務者ＨＶに反映して表示させる。例えば、所定の勤務者ＨＭが着席中である場合、表示制御部３１７は、定められた仮想椅子ＣＶに、所定の勤務者ＨＭに対応する仮想勤務者ＨＶが着席しているよう表示させる。また、所定の勤務者ＨＭが離席中である場合、表示制御部３１７は、定められた仮想椅子ＣＶから、所定の勤務者ＨＭに対応する仮想勤務者ＨＶが離席しているよう表示させる。また、例えば、所定の勤務者ＨＭの体の少なくとも一部分（例えば顔、口、手、足）を動かしている場合、表示制御部３１７は、所定の勤務者ＨＭに対応する仮想勤務者ＨＶの体の同じ部分を動かすよう動きを反映して表示させる。また、所定の勤務者ＨＭが業務を停止している場合、表示制御部３１７は、所定の勤務者ＨＭに対応する仮想勤務者ＨＶが離席しているよう表示させてもよい。
【０１０４】
また、表示制御部３１７は、表示対象の仮想勤務者ＨＶに対応する勤務者ＨＭが遠隔勤務者ＨＭ１であるか社内勤務者ＨＭ２であるかを識別可能に表示させてよい。この場合、表示制御部３１７は、表示対象の仮想勤務者ＨＶに対応する勤務者ＨＭが遠隔勤務者ＨＭ１であるか社内勤務者ＨＭ２であるかに基づいて、仮想勤務者ＨＶを表示する表示態様を決定してよい。つまり、表示制御部３１７は、遠隔勤務者ＨＭ１に対応する仮想勤務者ＨＶと社内勤務者ＨＭ２に対応する仮想勤務者ＨＶとを、異なる表示態様で表示させてよい。表示態様が異なるとは、仮想勤務者ＨＶの表示パターン（例えば点灯、点滅、点滅のパターン）が異なること、仮想勤務者ＨＶを描画する線のパターン（例えば実線、点線、破線）が異なること、仮想勤務者ＨＶを表示する際の透過率が異なること、等を含んでよい。また、遠隔勤務者ＨＭ１であるか社内勤務者ＨＭ２であるかが識別可能となるように、表示制御部３１７は、仮想勤務者ＨＶに対して、遠隔勤務者ＨＭ１であるか社内勤務者ＨＭ２であるかを記載した吹き出しを付して、表示させてもよい。
【０１０５】
表示制御部３１７は、仮想部屋ＲＶに配置された仮想物体ＯＶを表示させる。表示対象の仮想物体ＯＶは、例えば、仮想部屋ＲＶに対応する実空間の部屋ＲＳ，ＲＲに配置された物理的に存在する物体Ｏを示すものであってもよいし、勤務者端末３００や勤務者端末３００と通信可能な外部サーバに保持されたデータに対応する物体であってもよい。表示制御部３１７は、操作部３４０を介して仮想部屋ＲＶに配置された仮想物体ＯＶを指定した場合、仮想物体ＯＶに関する詳細情報を表示部３５０に表示させる。仮想物体ＯＶに関する詳細情報は、特定領域Ｄ２に表示される。
【０１０６】
図５Ａは、勤務者ＨＭが着席中である場合の仮想空間領域Ｄ１の表示例を示す図である。図５Ｂは、勤務者ＨＭが離席中である場合の仮想空間領域Ｄ１の表示例を示す図である。図５Ａ及び図５Ｂでは、遠隔勤務者ＨＭ１（例えば在宅勤務者）が遠隔地（例えば自宅の部屋）で遠隔勤務（例えば在宅勤務）している。
【０１０７】
図５Ａでは、遠隔地の部屋ＲＲで椅子Ｃに着席しており、デスクＤＫに配置された勤務者端末３００を用いてリモートデスクワークしている。この場合、遠隔勤務者ＨＭ１の動きが反映されるので、表示部３５０は、仮想部屋ＲＶ（例えば仮想執務室ＲＶ１）において、遠隔勤務者ＨＭ１に対応する仮想勤務者ＨＶ１を、仮想勤務者ＨＶ１用の仮想椅子ＣＶに着席した状態で表示する。また、仮想デスクＤＫＶには、勤務者端末３００に対応する仮想端末３００Ｖが配置されている。
【０１０８】
図５Ｂでは、遠隔地の部屋ＲＲで椅子Ｃから離席している。この場合、表示部３５０は、遠隔勤務者ＨＭ１の動きが反映されるので、仮想部屋ＲＶにおいて、遠隔勤務者ＨＭ１に対応する仮想勤務者ＨＶ１を、仮想部屋ＲＶ（例えば仮想執務室ＲＶ１）において仮想勤務者ＨＶ１用の仮想椅子ＣＶから離席した状態で表示する。図５Ｂでは、仮想部屋ＲＶ内に仮想勤務者ＨＶ１が不在の状態が例示されているが、仮想勤務者ＨＶ１が仮想部屋ＲＶ内に所在するが仮想椅子ＣＶに着席していない状態が表示されてもよい。
【０１０９】
なお、図５Ａ及び図５Ｂでは、遠隔勤務者ＨＭ１の体の少なくとも一部の動きが、遠隔勤務者ＨＭ１に対応する仮想勤務者ＨＶの体の動きに反映されて表示されてよい。
【０１１０】
図６は、遠隔勤務支援システム５による勤務者ＨＭの動き情報の生成に係る動作例を示すシーケンス図である。
【０１１１】
検出装置１００では、カメラ１４０は、カメラ１４０の撮像範囲に所在する勤務者ＨＭを逐次撮像する（Ｓ１１）。通信部１２０は、撮像された勤務者ＨＭの画像をサーバ２００へ逐次送信する（Ｓ１２）。Ｓ１１、Ｓ１２の処理は、検出装置１００毎に行われる。
【０１１２】
サーバ２００では、通信部２２０は、各検出装置１００から各勤務者ＨＭの画像を逐次受信する（Ｓ２１）。動き処理部２１２は、各勤務者ＨＭの画像を基に、各勤務者ＨＭの動きを解析し、動き情報を生成する（Ｓ２２）。生成された動き情報は、記憶部２３０に保持されてよい。動き情報は、仮想部屋ＲＶにおける仮想勤務者ＨＶの表示や、勤務情報に反映される。
【０１１３】
図７Ａ及び図７Ｂは、遠隔勤務支援システム５による組織に対応する仮想執務室ＲＶ１の表示に係る動作例を示すシーケンス図である。なお、勤務者端末３００の処理は、勤務者端末３００毎に実施される。
【０１１４】
勤務者端末３００では、組織表示処理部３１４は、操作部３４０を介して組織表示モードを選択すると、組織表示モードに設定する（Ｓ３１）。組織表示モードは、会社の組織の様子を仮想空間内に表示するモードであり、例えば組織に対応する仮想執務室ＲＶ１内の様子が示される。組織表示処理部３１４は、通信部３２０を介して、勤務者ＨＭが勤務する会社の組織図ＳＺの情報をサーバ２００に要求する（Ｓ３２）。
【０１１５】
サーバ２００では、組織表示処理部２１４は、通信部２２０を介して、組織図ＳＺの要求情報を少なくとも１つの勤務者端末３００から受信する（Ｓ４１）。組織表示処理部２１４は、例えば記憶部２３０から組織図ＳＺの情報を取得し、組織図ＳＺの要求情報を送信した勤務者端末３００へ、組織図ＳＺの情報を送信する（Ｓ４１）。
【０１１６】
勤務者端末３００では、組織表示処理部３１４は、通信部３２０を介して組織図ＳＺの情報をサーバ２００から受信する（Ｓ３３）。組織表示処理部３１４は、表示部３５０を介して、組織図ＳＺの情報を、いずれかの表示領域（例えば仮想空間領域Ｄ１）に表示する（Ｓ３３）。勤務者ＨＭは、表示部３５０の表示を見ながら、所望の組織を選択する。組織表示処理部３１４は、操作部３４０を介して組織の選択操作を受け付け、仮想執務室ＲＶ１が表示される対象の任意の組織を１つ以上指定する（Ｓ３４）。組織表示処理部３１４は、例えば通信部３２０を介して、指定された組織が属する部屋ＲＳ（執務室）に対応する仮想執務室ＲＶ１の情報を要求する（Ｓ３５）。
【０１１７】
サーバ２００では、組織表示処理部２１４は、通信部２２０を介して、仮想執務室ＲＶ１の要求情報を少なくとも１つの勤務者端末３００から受信する（Ｓ４２）。組織表示処理部２１４は、通信部２２０を介して、仮想執務室ＲＶ１の要求情報を送信した勤務者端末３００へ、仮想執務室ＲＶ１の情報を送信する（Ｓ４２）。
【０１１８】
勤務者端末３００では、組織表示処理部３１４は、通信部３２０を介して仮想執務室ＲＶ１の情報をサーバ２００から受信する（Ｓ３６）。組織表示処理部３１４は、表示部３５０を介して、仮想執務室ＲＶ１の情報を仮想空間領域Ｄ１に表示する（Ｓ３６）。組織表示処理部３１４は、例えば組織図ＳＺの情報を参照して、Ｓ３４で指定された組織に属する各勤務者ＨＭを識別する（Ｓ３７）。例えば、組織図ＳＺの情報に、各組織に属する各勤務者ＨＭの識別情報が含まれていてよい。組織表示処理部３１４は、通信部２２０を介して、識別された各勤務者ＨＭに対応する各仮想勤務者ＨＶの情報を要求する（Ｓ３８）。
【０１１９】
サーバ２００では、組織表示処理部２１４は、通信部２２０を介して、各仮想勤務者ＨＶの情報の要求情報を少なくとも１つの勤務者端末３００から受信する（Ｓ４３）。組織表示処理部２１４は、通信部２２０を介して、この要求情報を送信した勤務者端末３００へ、要求された該当する各勤務者ＨＭの動きを反映した各仮想勤務者ＨＶの情報を送信する（Ｓ４３）。
【０１２０】
勤務者端末３００では、組織表示処理部３１４は、通信部３２０を介して、Ｓ３７で識別された各勤務者ＨＭの動きが反映された仮想勤務者ＨＶの情報を、サーバ２００から受信する（Ｓ３９）。組織表示処理部３１４は、表示部３５０を介して、仮想執務室ＲＶ１において各勤務者ＨＭの動きが反映された各仮想勤務者ＨＶを、仮想空間領域Ｄ１に表示させる（Ｓ３９）。
【０１２１】
表示制御部３１７は、操作部３４０を介して、仮想執務室ＲＶ１に配置された仮想物体ＯＶを指定した指定情報を取得する（Ｓ５１）。仮想物体ＯＶは、仮想部屋ＲＶに対応する実空間の部屋ＲＳ又は部屋ＲＲに存在する物体Ｏ、又は、勤務者端末３００に保持された任意のデータやファイルを示す物体、であってよい。表示制御部３１７は、指定された仮想物体ＯＶの詳細情報を取得する（Ｓ５２）。仮想物体ＯＶの詳細情報は、例えば記憶部３３０に保持されていてもよいし、通信部３２０を介して外部装置（例えばサーバ２００やその他の装置）から取得されてもよい。表示制御部３１７は、取得された仮想物体ＯＶの詳細情報を、表示部３５０の特定領域Ｄ２に表示させる（Ｓ５２）。
【０１２２】
なお、図７Ａ及び図７Ｂにおいて、Ｓ５１〜Ｓ５２の処理が最後に行われることを例示したが、これに限られない。例えば、Ｓ５１〜Ｓ５２の処理は、図７Ａ及び図７Ｂの他の処理と並行して実施されてもよい。
【０１２３】
このような組織に対応する仮想執務室ＲＶ１の表示によれば、遠隔勤務支援システム５は、遠隔勤務者ＨＭ１であっても社内勤務者ＨＭ２であっても、同じ仮想執務室ＲＶ１内で仮想勤務者ＨＶが業務しているように表示でき、臨場感を持って勤務の様子を可視化できる。
【０１２４】
図８は、組織に対応する仮想執務室ＲＶ１を含む表示例を示す図である。図８では、組織図ＳＺに記載の組織から、２つの組織が指定されたことを例示する。表示部３５０には、仮想空間領域Ｄ１、特定領域Ｄ２、及び通常作業領域Ｄ３が表示されている。仮想空間領域Ｄ１には、組織図ＳＺと、指定された第１の組織に対応する仮想執務室ＲＶ１１と、指定された第２の組織に対応する仮想執務室ＲＶ１２と、が表示されている。図８では、仮想執務室ＲＶ１１，ＲＶ１２に配置された仮想椅子ＣＶへ仮想勤務者ＨＶが着席している場合と着席していない場合とがある。仮想椅子ＣＶへ着席しているか否かは、この組織に属する各勤務者ＨＭが実空間の各部屋ＲＳ，ＲＲで着席しているか否かに対応する。
【０１２５】
特定領域Ｄ２には、仮想物体ＯＶに関する詳細情報が表示される。図８では、特定領域Ｄ２に詳細情報が表示される仮想物体ＯＶとして、例えば操作部３４０を介して仮想勤務者ＨＶ０が指定されている。この場合、特定領域Ｄ２には、仮想勤務者ＨＶ０に関する詳細情報が表示される。この詳細情報は、例えば、仮想勤務者ＨＶ０に対応する勤務者ＨＭ０を識別する社員番号、名前、部署名、業務状況（例えば着席中、離席中、デスクワーク中、会議中）、社内勤務中であるか遠隔勤務中（在宅勤務中）であるかの情報、が含まれてよい。
【０１２６】
通常作業領域Ｄ３には、一例として、通常作業領域Ｄ３を表示する勤務者端末３００のデスクトップ画面が表示されている。デスクトップ画面には、様々なアプリケーションに対応するアイコンが表示されている。
【０１２７】
図９Ａ及び図９Ｂは、遠隔勤務支援システム５によるリモート対話の開始の際の動作例を示すシーケンス図である。なお、勤務者端末３００の処理は、勤務者端末３００毎に実施される。
【０１２８】
勤務者端末３００では、リモート対話処理部３１５は、リモート対話の開始を検出する（Ｓ６１）。リモート対話処理部３１５は、通信部３２０を介して、リモート対話の開始情報をサーバ２００へ送信する（Ｓ６２）。リモート対話の開始情報には、リモート対話の識別情報、リモート対話の種別の情報、リモート対話の開始時刻の情報、等が含まれてよい。
【０１２９】
サーバ２００では、リモート対話処理部２１５は、通信部２２０を介して、リモート対話の開始情報を少なくとも１つの勤務者端末３００から取得し、リモート対話の開始を検出する（Ｓ７１）。リモート対話処理部２１５は、リモート対話の開始情報に含まれるリモート対話の種別に基づいて、仮想対話室ＲＶ２（例えばリモート会議室、リモート面談室、リモート面接室）の情報を、例えば記憶部２３０から取得する。また、リモート対話処理部２１５は、リモート対話の識別情報を基に、リモート対話に出席する各リモート対話出席者ＨＭ３の情報を、例えば記憶部２３０から取得する。リモート対話処理部２１５は、通信部２２０を介して、各リモート対話出席者ＨＭ３に対応する各勤務者端末３００へ、仮想対話室ＲＶ２の情報と、各リモート対話出席者ＨＭ３の動きが反映された各仮想リモート対話出席者ＨＶ３の情報と、を送信する（Ｓ７１）。また、リモート対話処理部２１５は、識別情報で識別されるリモート対話が継続するリモート対話時間の計測を開始する（Ｓ７２）。
【０１３０】
勤務者端末３００では、リモート対話処理部３１５は、通信部３２０を介して仮想対話室ＲＶ２の情報と、各仮想リモート対話出席者ＨＶ３の情報と、を取得する（Ｓ６３）。また、リモート対話処理部３１５は、通信部３２０を介して、仮想対話室ＲＶ２に配置された各仮想椅子ＣＶと、各リモート対話出席者ＨＭ３に対応する各仮想リモート対話出席者ＨＶ３との関連付けの情報と、を取得する。リモート対話処理部３１５は、関連付けの情報を基に、仮想対話室ＲＶ２において各仮想椅子ＣＶに仮想リモート対話出席者ＨＶ３を配置して表示させる（Ｓ６４）。この場合、リモート対話処理部３１５は、リモート対話の開始とともに、仮想空間領域Ｄ１に仮想対話室ＲＶ２を表示させ、各リモート対話出席者ＨＭ３が自動的に集合するように表示させてよい。また、リモート対話処理部３１５は、各リモート対話出席者ＨＭ３の動きが反映された各仮想リモート対話出席者ＨＶ３を表示させる（Ｓ６５）。
【０１３１】
リモート対話処理部３１５は、マイクロホン３６０による音声入力が可能な状態（マイク：オン）とし、スピーカ３７０による音声出力が可能な状態（スピーカ：オン）とする（Ｓ６６）。リモート対話処理部３１５は、通信部３２０を介して、マイクロホン３６０に入力された音声情報をサーバ２００に逐次送信する（Ｓ６７）。また、リモート対話処理部３１５は、通信部３２０を介して、カメラ３８０により撮像された画像をサーバ２００に逐次送信してもよい。この画像は、サーバ２００により各リモート対話出席者ＨＭ３の動き情報を生成するための元データとなり得る。
【０１３２】
サーバ２００では、リモート対話処理部２１５は、通信部２２０を介して、Ｓ６７で送信された少なくとも音声情報を逐次受信する（Ｓ７３）。リモート対話処理部２１５は、通信部２２０を介して、音声情報を、他の各リモート対話出席者ＨＭ３に対応する各勤務者端末３００へ送信する（Ｓ７３）。これにより、各リモート対話出席者ＨＭ３が発した音声を、各リモート対話出席者ＨＭ３に対応する各勤務者端末３００が共有できる。
【０１３３】
また、勤務者端末３００では、表示制御部３１７は、操作部３４０を介して、仮想対話室ＲＶ２に配置された仮想物体ＯＶとしての仮想資料ＯＶ１を指定した指定情報を取得する（Ｓ６８）。仮想資料ＯＶ１は、仮想対話室ＲＶ２に対応する実空間の対話室内に存在する資料、又は、勤務者端末３００に保持された任意のデータやファイルを示す物体、であってよい。表示制御部３１７は、指定された仮想資料ＯＶ１の詳細情報を取得する。この詳細情報は、例えば電子ファイルの中身のデータであってよい。仮想資料の詳細情報は、例えば記憶部３３０に保持されていてもよいし、通信部３２０を介して外部装置（例えばサーバ２００やその他の装置）から取得されてもよい。表示制御部３１７は、取得された仮想資料の詳細情報を、表示部３５０の特定領域Ｄ２に表示させる（Ｓ６９）。
【０１３４】
なお、図９Ａ及び図９Ｂにおいて、Ｓ６８〜Ｓ６９の処理が勤務者端末３００による最後の処理として行われることを例示したが、これに限られない。例えば、Ｓ６８〜Ｓ６９の処理は、図９Ａ及び図９Ｂの他の処理と並行して実施されてもよい。
【０１３５】
このようなリモート対話の開始の際の動作によれば、遠隔勤務支援システム５は、リモート対話が開始されると、リモート対話出席者ＨＭ３が自席に着席し、仮想リモート対話出席者ＨＶ３が仮想対話室ＲＶ２に集合する。そして、リモート対話出席者ＨＭ３が遠隔勤務者ＨＭ１であっても社内勤務者ＨＭ２であっても、同じ仮想対話室ＲＶ２内で仮想リモート対話出席者ＨＶ３が業務しているように表示でき、臨場感を持って勤務の様子を可視化できる。
【０１３６】
図１０は、遠隔勤務支援システム５によるリモート対話の終了の際の動作例を示すシーケンス図である。なお、勤務者端末３００の処理は、勤務者端末３００毎に実施される。
【０１３７】
勤務者端末３００では、リモート対話処理部３１５は、リモート対話の終了を検出する（Ｓ８１）。リモート対話処理部３１５は、通信部３２０を介して、リモート対話の終了情報をサーバ２００へ送信する（Ｓ８２）。リモート対話の終了情報には、リモート対話の識別情報、リモート対話の終了時刻の情報、等が含まれてよい。
【０１３８】
サーバ２００では、リモート対話処理部２１５は、通信部２２０を介して、リモート対話の終了情報を少なくとも１つの勤務者端末３００から取得し、リモート対話の終了を検出する。リモート対話処理部２１５は、リモート対話の終了情報に含まれるリモート対話の終了時刻を取得し、リモート対話の開始時刻及び終了時刻を基に、リモート対話が実施された時間（リモート対話時間）を算出する（Ｓ９１）。リモート対話処理部２１５は、通信部２２０を介して各リモート対話出席者ＨＭ３に対応する各勤務者端末３００から取得された音声情報を基に、議事録データを生成する（Ｓ９２）。リモート対話処理部２１５は、生成された議事録データを記憶部２３０に保持させる（Ｓ９３）。なお、リモート対話処理部２１５は、通信部３２０を介して、各リモート対話出席者ＨＭ３に対応する各勤務者端末３００へ議事録データを送信し、各勤務者端末３００の記憶部３３０で保持させてもよい。
【０１３９】
このようなリモート対話の終了の際の動作によれば、遠隔勤務支援システム５は、リモート対話の終了に基づいてリモート対話の実績を保管しておくことができる。リモート対話の実績は、例えば記憶部２３０に保持されてよく、例えばリモート対話の内容を示す議事録データ、リモート対話時間、等の情報を含んでよい。議事録データは、通信部２２０を介して各勤務者端末３００に送信され、各リモート対話出席者ＨＭ３で共有されてよい。
【０１４０】
図１１Ａは、リモート会議の様子を示す表示例を示す図である。
【０１４１】
図１１Ａでは、仮想対話室ＲＶ２としての仮想会議室ＲＶ２１が、仮想空間領域Ｄ１に表示されている。仮想会議室ＲＶ２１には、リモート会議に出席しているリモート会議出席者ＨＭ３１，ＨＭ３２，ＨＭ３３に対応する仮想リモート会議出席者ＨＶ３１，ＨＶ３２，ＨＶ３３が表示されている。図１１Ａでは、仮想会議室ＲＶ２１は、仮想会議室ＲＶ２１の内部に仮想的なホワイトボードやディスプレイが設置され、ホワイドボートやディスプレイを用いて発表や説明をし易いレイアウトとなっており、会議の臨場感が増すようになっている。図１１Ａの場面では、仮想リモート会議出席者ＨＶ３１が、仮想資料ＯＶ１としての共通資料ＯＶ１１を用いて説明しており、仮想リモート会議出席者ＨＶ３２，ＨＶ３３は、仮想リモート会議出席者ＨＶ３１による説明を聞いている。また、仮想リモート会議出席者ＨＶ３２，ＨＶ３３の手元には、それぞれの仮想資料ＯＶ１としての個人資料ＯＶ１２が配置されている。
【０１４２】
個人資料ＯＶ１２の詳細情報は、この資料を管理する勤務者ＨＭに対応する勤務者端末３００に限って表示が許可されて表示可能であり、他の勤務者ＨＭに対応する他の勤務者端末３００では表示が許可されず表示不能である。したがって、仮想リモート会議出席者ＨＶ３２に対応する勤務者端末３００は、この勤務者端末３００が管理し仮想リモート会議出席者ＨＶ３２の手元にある個人資料ＯＶ１２の詳細情報を表示可能であり、仮想リモート会議出席者ＨＶ３１，ＨＶ３３に対応する勤務者端末３００は、この勤務者端末３００が管理していないこの個人資料ＯＶ１２の詳細情報を表示不能である。また、仮想リモート会議出席者ＨＶ３３に対応する勤務者端末３００は、この勤務者端末３００が管理し仮想リモート会議出席者ＨＶ３３の手元にある個人資料ＯＶ１２の詳細情報を表示可能であり、仮想リモート会議出席者ＨＶ３１，ＨＶ３２に対応する勤務者端末３００は、この勤務者端末３００が管理していないこの個人資料ＯＶ１２の詳細情報を表示不能である。
【０１４３】
一方、共通資料ＯＶ１１は、各仮想リモート会議出席者ＨＶ３１に対応する各勤務者端末３００により表示可能である。よって、仮想リモート会議出席者ＨＶ３１〜ＨＶ３３は、仮想リモート会議出席者ＨＶ３１〜ＨＶ３３に対応する各勤務者端末３００が共通資料ＯＶ１１を表示することで、確認可能である。
【０１４４】
図１１Ｂは、特定領域Ｄ２に表示された仮想資料ＯＶ１の一例を示す図である。ここでは、特定領域Ｄ２に共通資料ＯＶ１１が表示されている。例えば、各勤務者端末３００では、リモート対話処理部３１５は、操作部３４０を介して共通資料ＯＶ１１を指定することで、共通資料ＯＶ１１を表示部３５０の特定領域Ｄ２に表示させてよい。なお、各勤務者端末３００では、リモート対話処理部３１５は、操作部３４０を介して個人資料ＯＶ１２を指定することで、個人資料ＯＶ１２を表示部３５０の特定領域Ｄ２に表示させてもよい。
【０１４５】
また、勤務者端末３００の操作部３４０が、共通資料ＯＶ１１又は個人資料ＯＶ１２を、仮想空間領域Ｄ１から特定領域Ｄ２へドラッグ及びドロップ（つまりドラッグ＆ドロップ）する操作、又は、コピー及びペースト（つまりコピー＆ペースト）する操作を受け付けたとする。この場合、リモート対話処理部３１５は、この共通資料ＯＶ１１又は個人資料ＯＶ１２の詳細情報を特定領域Ｄ２に表示させてよい。
【０１４６】
また、勤務者端末３００の操作部３４０が、共通資料ＯＶ１１又は個人資料ＯＶ１２を、通常作業領域Ｄ３から特定領域Ｄ２へドラッグ及びドロップする操作、又は、コピー及びペーストする操作を受け付けたとする。この場合、リモート対話処理部３１５は、この共通資料ＯＶ１１又は個人資料ＯＶ１２の詳細情報を特定領域Ｄ２に表示させてよい。この場合、各勤務者端末３００は、仮想部屋ＲＶには配置されていない自端末が保持する電子ファイルの詳細情報を容易に表示させることができる。
【０１４７】
また、勤務者端末３００のリモート対話処理部３１５は、自端末が保持する電子ファイルを、仮想資料ＯＶ１に関連付けてよい。例えば、操作部３４０が、通常作業領域Ｄ３に表示された任意の電子ファイルを、仮想空間領域Ｄ１に表示された仮想資料ＯＶ１へドラッグ及びドロップする操作、又は、コピー及びペーストする操作を受け付けたとする。この場合、リモート対話処理部３１５は、この電子ファイルを、仮想資料ＯＶ１に関連付けてよい。これにより、勤務者端末３００は、仮想資料ＯＶ１に対する操作を行うことで、関連付けられた電子ファイルに対して各種処理（例えば詳細情報の表示）を実施できる。
【０１４８】
また、リモート対話処理部３１５は、特定領域Ｄ２に表示された仮想資料ＯＶ１のページを変更してよい。例えば、操作部３４０を介して特定領域Ｄ２に表示された仮想資料ＯＶ１のページに対して操作することで、仮想資料ＯＶ１のページの変更が実施されてよい。ここで、リモート対話処理部３１５は、操作部３４０を介して仮想空間領域Ｄ１の仮想部屋ＲＶに配置された仮想資料ＯＶ１を指定（例えばクリック）する操作を受けることで、変更前のページに戻して(復帰して)よい。ページを変更する操作やページを復帰する操作は、例えば、マウスホイールの回転やマウスの左クリック操作を継続した状態でドラッグ操作することを含んでよい。
【０１４９】
また、リモート対話処理部３１５は、共通資料ＯＶ１１のページを変更してよい。例えば、リモート対話処理部３１５は、操作部３４０を介して仮想空間領域Ｄ１に表示された仮想資料ＯＶ１に対してページめくり操作を受けることで、仮想資料ＯＶ１のページを変更してよい。この場合、リモート対話処理部３１５は、通信部３２０及びサーバ２００の通信部２２０を介して、ページの変更情報を他の勤務者端末３００に送信してよい。これにより、共通資料ＯＶ１１のページ変更が、各リモート対話出席者ＨＭ３に対応する各勤務者端末３００の間で共有される。一方、例えば、リモート対話処理部３１５は、操作部３４０を介して特定領域Ｄ２に表示された仮想資料ＯＶ１に対してページめくり操作を受けることで、仮想資料ＯＶ１のページを変更してよい。この場合、リモート対話処理部３１５は、仮想資料ＯＶ１のページ変更をリモート対話出席者ＨＭ３に対応する各勤務者端末３００の間で共有しない。これにより、勤務者端末３００は、この勤務者端末３００内に限定して、仮想資料ＯＶ１のページを変更可能である。なお、ページめくり操作は、マウスでクリック操作した状態でページをめくりたい方向にマウスを移動させる操作、指でタッチ操作した状態でページをめくりたい方向に指を移動させる操作、等であってよい。
【０１５０】
なお、リモート対話処理部３１５による、上述の電子ファイルと仮想資料ＯＶ１との関連付け、仮想資料ＯＶ１のページ変更、共通資料ＯＶ１１のページ変更、等は、組織表示処理部３１４により実施されてもよい。この場合、仮想対話室ＲＶ２に配置された仮想資料ＯＶ１や共通資料ＯＶ１１に限らずに、仮想執務室ＲＶ１に配置された仮想資料ＯＶ１や共通資料ＯＶ１１に対して、同様の処理が行われてよい。
【０１５１】
なお、リモート会議は、社内勤務者ＨＭ２による実空間での会議に、遠隔勤務者ＨＭ１が通信回線を介して参加することを含んでよい。この場合、リモート対話処理部３１５は、実空間で社内勤務者ＨＭ２により書き込まれたホワイトボードの板書内容を、図示しないスキャナ等を介して読み込み、ホワイトボードの詳細情報として特定領域Ｄ２に表示させてもよい。
【０１５２】
図１２は、リモート面談の様子を示す表示例を示す図である。図１２では、仮想対話室ＲＶ２としての仮想面談室ＲＶ２２が、仮想空間領域Ｄ１に表示されている。仮想会議室ＲＶ２１には、リモート面談に出席しているリモート面談出席者ＨＭ３６，ＨＭ３７，ＨＭ３８, ＨＭ３９に対応する仮想リモート面談出席者ＨＶ３６，ＨＶ３７，ＨＶ３８, ＨＶ３９が表示されている。図１２では、仮想面談室ＲＶ２２は、各仮想リモート面談出席者ＨＶ３６〜ＨＶ３９が向かい合うレイアウトとなっており、面談の臨場感が増すようになっている。なお、リモート面談では、仮想資料ＯＶ１が共有されなくてもよい。そのため、特定領域Ｄ２に共通資料ＯＶ１１が表示されなくてもよい。
【０１５３】
図１３は、遠隔勤務者ＨＭ１に対応する仮想勤務者ＨＶ１と社内勤務者ＨＭ２に対応する仮想勤務者ＨＶ２とを異なる表示態様で示した表示例を示す図である。図１３では、図１２と同様の場面を想定しているが、表示態様が異なる。
【０１５４】
図１３では、リモート面談出席者ＨＭ３６，ＨＭ３９は、社内勤務者ＨＭ２であるとする。リモート面談出席者ＨＭ３７，ＨＭ３８は、遠隔勤務者ＨＭ１であるとする。この場合、リモート面談出席者ＨＭ３６，ＨＭ３９に対応する仮想リモート面談出席者ＨＶ３６，ＨＶ３９は、社内勤務者ＨＭ２に対応する仮想勤務者ＨＶ２を示す表示態様（例えば実線）で表示される。また、リモート面談出席者ＨＭ３７，ＨＭ３８に対応する仮想リモート面談出席者ＨＶ３７，ＨＶ３８は、遠隔勤務者ＨＭ１に対応する仮想勤務者ＨＶ１を示す表示態様（例えば破線）で表示される。
【０１５５】
このように、遠隔勤務支援システム５は、遠隔勤務者ＨＭ１と社内勤務者ＨＭ２とで異なる表示態様で仮想勤務者ＨＶを表示することで、臨場感の高い状態を維持しながら、各勤務者ＨＭが、他の勤務者ＨＭが遠隔勤務中であるか社内勤務中であるかを識別することを支援できる。
【０１５６】
このように、遠隔勤務支援システム５は、３次元空間である実空間の部屋ＲＳを仮想部屋ＲＶとして再現し、仮想空間領域Ｄ１に表示する。そして、ＵＩとしての操作部３４０を介して仮想空間領域Ｄ１内の仮想勤務者ＨＶを指定したり仮想物体ＯＶを指定したりできる。これにより、勤務者端末３００は、指定された仮想勤務者ＨＶに対応する勤務者ＨＭとのリモート対話に関する処理をしたり、指定された仮想物体ＯＶの詳細情報の表示に関する処理をしたりできる。また、仮想勤務者ＨＶの動きに、対応する勤務者ＨＭの動きが忠実に再現されることで、勤務者ＨＭは、勤務者ＨＭが遠隔勤務中であっても、社内で勤務するような臨場感を感じることができる。また、遠隔勤務支援システム５は、実空間と比較すると、仮想空間内で、所定の操作に伴って仮想部屋ＲＶを変更するなどして社内を簡単に移動でき、必要な業務（例えばリモート対話）を容易に実施できる。また、勤務者ＨＭは、自身が遠隔勤務者ＨＭ１であっても、他の勤務者ＨＭがどのような状態で勤務しているかを容易に認識できる。
【０１５７】
また、遠隔勤務支援システム５は、遠隔勤務を行う上で重要な業務項目（例えばデスクワーク、会議、面談、面接、相談、勤怠）について、使い易く、臨場感のある仮想業務環境を創出し、実空間に反映して業務を行うことで、使い易く臨場感のある遠隔勤務を実現できる。そのため、勤務者ＨＭは、他の勤務者ＨＭの業務状況を知りながら業務を遂行できる。例えば、勤務者ＨＭは、臨場感のあるリモート会議を円滑に遂行できる。例えば、遠隔勤務支援システム５は、リモート対話の議事録データを即座に残すことができる。例えば、勤務者ＨＭは、効果的に他の勤務者ＨＭに相談できる。例えば、勤務者ＨＭは、出張をしなくとも、リモートでスムーズに他の勤務者ＨＭとの間でコミュニケーションを図れる。
【０１５８】
また、各勤務者端末３００は、仮想空間領域Ｄ１に表示される画像が３次元モデルに基づく画像（例えば断面画像）である場合、操作部３４０を介して移動、回転、拡大、縮小、等の操作を受けることで、所望の状態で表示できる。また、遠隔勤務支援システム５は、遠隔勤務者ＨＭ１の発話をマイクロホン３６０により収音でき、遠隔勤務者ＨＭ１の口や表情と、対応する仮想勤務者ＨＶの口や表情と、を連動させることができる。また、遠隔勤務支援システム５は、遠隔勤務者ＨＭ１が発する音又は遠隔勤務者ＨＭ１の周辺で発生している音をマイクロホン３６０により集音でき、この音を仮想空間領域Ｄ１の音とすることで他の勤務者ＨＭも聞くことができる。
【０１５９】
また、遠隔勤務支援システム５は、各勤務者ＨＭの動き検出機能と、画像加工機能と、各勤務者ＨＭの業務検出機能により、例えば以下の効果を得ることができる。例えば、遠隔勤務支援システム５は、各勤務者ＨＭの顔又は体のリアルタイム画像、又は、操作部３４０を介して指定された顔又は体の画像を、各仮想勤務者ＨＶの顔又は体に反映できる。また、遠隔勤務支援システム５は、画像解析により各勤務者ＨＭの頭、体、手足、指の動きを検出し、その動きを、対応する仮想勤務者ＨＶにリアルタイムに反映できる。また、遠隔勤務支援システム５は、遠隔勤務者ＨＭ１が業務を行わない場合、つまり離席している場合、対応する仮想勤務者ＨＶ１が仮想部屋ＲＶからいなくなるよう表示させることができる。また、遠隔勤務支援システム５は、画像解析を基に遠隔勤務者ＨＭ１の勤務時間を算出でき、勤怠表データに業務の開始時刻及び終了時刻を自動で入力できる。
【０１６０】
以上のように、本実施形態の遠隔勤務支援システム５は、遠隔勤務を支援する。遠隔勤務支援システム５は、サーバ２００と、１つ以上の勤務者端末３００と、遠隔勤務者ＨＭ１を含む１人以上の勤務者ＨＭの状態を検出する１つ以上の検出装置１００と、を備える。サーバ２００は、検出装置１００により検出された検出情報（例えば検出データ）を取得し、検出情報に基づいて、各勤務者ＨＭに対応し各勤務者ＨＭの動きを反映した各仮想勤務者ＨＶを生成し、各仮想勤務者ＨＶの情報を各勤務者端末３００へ送信する。各勤務者端末３００は、各仮想勤務者ＨＶの情報をサーバ２００から取得し、各勤務者ＨＭが勤務する社内の部屋ＲＳに対応する仮想部屋ＲＶの情報を取得し、仮想部屋ＲＶに配置される仮想物体ＯＶの情報を取得する。そして、各勤務者端末３００は、仮想部屋ＲＶ、各仮想勤務者ＨＶ、及び仮想物体ＯＶのうちの少なくとも一つを、各勤務者端末３００が備える表示部３５０の第１の表示領域（例えば仮想空間領域Ｄ１）に表示し、第１の表示領域に表示された仮想勤務者ＨＶ又は仮想物体ＯＶに対する操作を、各勤務者端末３００が備える操作部３４０が検出した場合、この操作に対応する情報を表示部３５０の第２の表示領域（例えば特定領域Ｄ２）に表示する。
【０１６１】
これにより、各勤務者ＨＭは、遠隔勤務中でも、社内で業務しているような臨場感があり、他の各勤務者ＨＭの状態を直感的に認識できる。また、遠隔勤務支援システム５は、遠隔勤務者ＨＭ１が存在しても、社内の部屋ＲＳを仮想的に示した仮想部屋ＲＶにおいて勤務しているように表示できる。そのため、各勤務者ＨＭは、遠隔勤務者ＨＭ１の勤務状態を直感的に理解し易い。また、各勤務者ＨＭは、操作部３４０を介して仮想空間に存在する仮想物体ＯＶや仮想勤務者ＨＶを指定することで、仮想空間の表示と同時に、この操作に対応する情報（例えば指定された仮想物体ＯＶや仮想勤務者ＨＶの詳細情報）を、仮想空間を表示する第１の表示領域とは異なる第２の表示領域に表示させて確認できる。したがって、遠隔勤務支援システム５は、遠隔勤務する上で重要な業務項目について、臨場感のあるデジタル業務環境を生成し、デジタル業務環境を実空間に反映して業務を行うことで、使い易く臨場感のある遠隔勤務の支援を実現できる。
【０１６２】
また、検出装置１００は、勤務者ＨＭを含む画像を撮像する１つ以上のカメラ１４０（撮像装置の一例）を含んでよい。サーバ２００は、カメラ１４０から検出情報として画像を順次取得してよい。これにより、遠隔勤務支援システム５は、時系列の撮像画像を用いて、各勤務者ＨＭの動きを把握できる。
【０１６３】
また、各勤務者端末３００は、各勤務者ＨＭが属する階層的な組織の情報を取得し、組織の情報を第１の表示領域に表示し、操作部３４０を介して階層的な組織のうちの任意の組織を指定し、指定された組織が配置された仮想部屋ＲＶ（例えば仮想執務室ＲＶ１）において、組織に属する各勤務者ＨＭの検出情報に基づいて、組織に属する各勤務者ＨＭに対応する各仮想勤務者ＨＶを表示してよい。
【０１６４】
これにより、遠隔勤務支援システム５は、全体の組織情報（例えば会社全体）から所定の組織（例えば社内の部や課）を指定することで、その組織に対応するオフィス空間（例えば執務室）を仮想的に再現できる、よって、表示を確認する各勤務者ＨＭは、例えば社内を実際に動き回らなくても、仮想空間上で各組織が位置する各部屋ＲＳの状態を把握できる。また、その組織に属する勤務者ＨＭの動きも反映して表示されることで、表示を確認する各勤務者ＨＭは、各勤務者ＨＭの状態を具体的に確認できる。
【０１６５】
また、各勤務者ＨＭは、第１の勤務者を含んでよい。サーバ２００は、検出情報に基づいて、第１の勤務者が離席しているか否かを判定してよい。サーバ２００は、第１の勤務者が離席している場合、第１の勤務者に対応し、仮想部屋ＲＶの第１の仮想勤務者用の第１の仮想席（例えば仮想椅子ＣＶ）から離席している第１の仮想勤務者を生成してよい。サーバ２００は、第１の勤務者が着席している場合、第１の勤務者に対応し、仮想部屋ＲＶの第１の仮想勤務者用の前記第１の仮想席に着席している第１の仮想勤務者を生成してよい。サーバ２００は、第１の仮想勤務者の情報を各勤務者端末３００に送信してよい。
各勤務者端末３００は、第１の仮想勤務者の情報をサーバ２００から取得し、第１の仮想勤務者を第１の表示領域に表示してよい。
【０１６６】
これにより、遠隔勤務支援システム５は、得られた検出情報に基づいて、第１の勤務者の動きを認識し、第１の勤務者の離席及び着席を判別でき、第１の勤務者に対応する第１の仮想勤務者の状態に反映できる。よって、表示を確認した各勤務者ＨＭは、直感的に第１の仮想勤務者に対応する第１の勤務者の状態を把握できる。
【０１６７】
サーバ２００は、第１の勤務者が着席していると判定された着席時間を算出し、第１の勤務者の着席時間に基づいて、第１の勤務者の勤務時間を算出してよい。これにより、遠隔勤務支援システム５は、各勤務者ＨＭの動き（例えば着席中か離席中か）に基づいて、自動的に各勤務者ＨＭの勤怠管理を実施できる。
【０１６８】
また、各勤務者端末３００は、各勤務者ＨＭが遠隔勤務者ＨＭ１であるか否かに応じて、各勤務者ＨＭに対応する各仮想勤務者ＨＶを異なる表示態様で表示してよい。
【０１６９】
これにより、各勤務者端末３００は、会社の臨場感を出しつつ、どの勤務者ＨＭが社内に所在しどの勤務者ＨＭが社外に所在するかを視認可能にできる。よって、各勤務者ＨＭは、他の勤務者ＨＭの所在位置に応じて他の勤務者ＨＭに対して対応し易くなる。
【０１７０】
また、仮想物体ＯＶは、勤務者ＨＭが閲覧可能な仮想資料ＯＶ１を含んでよい。各勤務者端末３００は、操作部３４０を介して仮想資料ＯＶ１を指定した場合、仮想資料ＯＶ１の内容を第２の表示領域に表示してよい。これにより、各勤務者ＨＭは、閲覧を希望する仮想資料ＯＶ１を直感的に選択して詳細を表示させることができ、仮想資料ＯＶ１の内容を把握できる。
【０１７１】
また、仮想資料ＯＶ１は、各勤務者ＨＭが個人で閲覧可能な個人資料ＯＶ１２と、各勤務者ＨＭが共有して閲覧可能な共通資料ＯＶ１１と、を含んでよい。各勤務者端末３００は、操作部３４０を介して指定された個人資料ＯＶ１２又は共通資料ＯＶ１１の内容を、第２の表示領域に表示してよい。これにより、各勤務者ＨＭは、仮想部屋ＲＶ内の様子とは別に、個人資料ＯＶ１２又は共通資料ＯＶ１１の詳細を確認できる。
【０１７２】
また、各勤務者端末３００は、複数の勤務者ＨＭが出席するリモートの開始を検出し、リモート対話の開始の検出に基づいて、仮想部屋ＲＶとしてのリモート対話を行うための仮想対話室ＲＶ２と、リモート対話に出席する各リモート対話出席者ＨＭ３（出席者の一例）に対応する各仮想リモート対話出席者ＨＶ３（仮想勤務者の一例）と、を第１の表示領域に表示してよい。これにより、遠隔勤務支援システム５は、各リモート対話出席者ＨＭ３が、リモート対話の開始に伴って仮想対話室ＲＶ２に移動するよう表示でき、対話の現場を再現でき、臨場感を高めることができる。
【０１７３】
また、各勤務者端末３００は、第１の表示領域に表示されている仮想勤務者ＨＶに対して行った操作部３４０を介した操作によりリモート対話の開始を検出し、操作に応じた種別のリモート対話を開始してよい。これにより、勤務者端末３００は、各勤務者の操作により、特定のリモート対話（例えばリモート会議、リモート面談）を開始できる。
【０１７４】
また、各勤務者端末３００は、リモート対話がリモート相談である場合、リモート対話の開始の検出に基づいて、リモート相談の相手との間でチャットを行うためのチャット領域を表示してよい。各勤務者端末３００は、リモート対話がリモート相談以外のリモート対話である場合、リモート対話の種別に応じたレイアウトの仮想対話室ＲＶ２を第１の表示領域に表示してよい。例えば、仮想会議室ＲＶ２１は、ミーティング用の仮想デスクＤＫＶや仮想資料ＯＶ１が配置されるレイアウトでよい。仮想面談室ＲＶ２２は、リモート対話出席者ＨＭ３による対話を重視した形式であり、リモート対話出席者ＨＭ３が仮想デスクＤＫＶを囲むようなレイアウトでよい。仮想面接室は、全身が見やすいように仮想デスクＤＫＶが配置されないレイアウトでよい。
【０１７５】
これにより、遠隔勤務支援システム５は、リモート相談の依頼者と被依頼者との間だけで秘密裏にチャットできる。よって、リモート相談の内容がリモート相談出席者以外の他の勤務者ＨＭに知られることなく、リモート対話相談出席者は、安心して相談できる。また、遠隔勤務支援システム５は、リモート会議、リモート面談、リモート面接等のリモート対話の種別に応じて、仮想対話室ＲＶ２に存在する仮想物体ＯＶやレイアウトを容易に変更できる。よって、遠隔勤務支援システム５は、各リモート対話出席者ＨＭ３が実空間での対話と同様に仮想空間上でも必要な情報を直感的に得られるよう支援できる。
【０１７６】
また、リモート対話出席者ＨＭ３に対応する各勤務者端末３００は、マイクロホン３６０（音声入力部の一例）と、スピーカ３７０（音声出力部の一例）と、を備え、リモート対話の開始の検出に基づいて、マイクロホン３６０による音声入力が可能な状態とし、スピーカ３７０による音声出力が可能な状態としてよい。
【０１７７】
これにより、遠隔勤務支援システム５は、リモート対話が開始されているにも関わらず、リモート対話出席者ＨＭ３によるマイクロホン３６０やスピーカ３７０のオンオフの切替の誤操作や切替忘れによって音声の入出力ができないことを抑制できる。
【０１７８】
また、リモート対話出席者ＨＭ３に対応する各勤務者端末３００は、マイクロホン３６０により入力された音声の音声情報をサーバ２００へ送信してよい。サーバ２００は、各勤務者端末３００から各音声情報を取得し、各音声情報に対して音声認識して各文字情報に変換し、各文字情報を要約して議事録データを生成してよい。
【０１７９】
これにより、遠隔勤務支援システム５は、リモート対話出席者ＨＭ３が特別な操作を行うことなく、リモート対話出席者ＨＭ３による発言を基に議事録データの生成を容易に生成できる。議事録データの生成は、例えばＡＩ（人工知能）によって生成可能である。
【０１８０】
また、サーバ２００は、各勤務者端末３００からの各音声情報を分析して各リモート対話出席者ＨＭ３の感情を推定し、各リモート対話出席者ＨＭ３の感情に基づいて、議事録データを生成してよい。
【０１８１】
これにより、遠隔勤務支援システム５は、画像を用いずに音声の分析結果（例えば声色）に基づいてリモート対話出席者ＨＭ３の感情を推定できる。例えば、リモート対話出席者ＨＭ３の感情を示す補足情報（発言Ａの際に勤務者Ａは嬉しそうであった、等）を議事録データに付記でき、議事録データの有効性を向上できる。
【０１８２】
また、検出装置１００は、リモート対話出席者ＨＭ３を含む画像を撮像する１つ以上のカメラ１４０を含んでよい。サーバ２００は、各カメラ１４０から各画像を取得し、各画像を分析して各リモート対話出席者ＨＭ３の感情を推定し、各リモート対話出席者ＨＭ３の感情に基づいて、議事録データを生成してよい。
【０１８３】
これにより、遠隔勤務支援システム５は、画像の分析結果（例えば発言中のリモート対話出席者ＨＭ３の表情やジェスチャ）に基づいてリモート対話出席者ＨＭ３の感情を推定できる。例えば、リモート対話出席者ＨＭ３の感情を示す補足情報（発言Ａの際に勤務者Ａは嬉しそうであった、等）を議事録データに付記でき、議事録データの有効性を向上できる。
【０１８４】
また、リモート対話出席者ＨＭ３に対応する各勤務者端末３００は、マイクロホン３６０により入力された音声の音声情報をサーバ２００へ送信してよい。サーバ２００は、各勤務者端末３００から各音声情報を取得し、リモート対話中の自己紹介の区間を検出し、自己紹介の区間の各音声情報を分析して各リモート対話出席者ＨＭ３の名前を判別し、各リモート対話出席者ＨＭ３の名前の情報を、各リモート対話出席者ＨＭ３に対応する各勤務者端末３００へ送信してよい。各リモート対話出席者ＨＭ３に対応する各勤務者端末３００は、サーバ２００から各リモート対話出席者ＨＭ３の名前の情報を取得し、各リモート対話出席者ＨＭ３に対応する各仮想リモート対話出席者ＨＶ３に対応して、各リモート対話出席者ＨＭ３の名前の情報を表示してよい。
【０１８５】
これにより、遠隔勤務支援システム５は、リモート対話出席者ＨＭ３が特別な操作を行うことなく、表示された各仮想リモート対話出席者ＨＶ３に対応するリモート対話出席者ＨＭ３の勤務者情報（例えば名前）を表示できる。よって、表示を確認した各リモート対話出席者ＨＭ３は、リモート対話に参加中のリモート対話出席者ＨＭ３の名前を容易に把握でき、リモート対話をスムーズに進行できる。
【０１８６】
また、各勤務者端末３００は、リモート対話中、リモート対話出席者ＨＭ３に対応する仮想リモート対話出席者ＨＶ３の顔又は体を、カメラ１４０又はカメラ３８０により撮像された画像に基づいて生成されたリモート対話出席者ＨＭ３の顔又は体をデフォルメした顔画像又は体画像に置換して、前記仮想勤務者を表示してよい。
【０１８７】
これにより、例えば、所定のリモート対話出席者ＨＭ３が現実の顔又は体の画像を他のリモート対話出席者ＨＭ３に見せたくない場合に、所定のリモート対話出席者ＨＭ３の顔又は体の画像が、デフォルメした顔又は体の画像に代替されることで、所定のリモート対話出席者ＨＭ３は、安心できる。よって、遠隔勤務支援システム５は、所定のリモート対話出席者ＨＭ３の要求（例えば髪を整える必要がない、髭をそる必要がない、化粧をする必要がない、落ち込んでいる表情を悟られたくない）を満たすことができる。
【０１８８】
以上、図面を参照しながら各種の実施形態について説明したが、本開示はかかる例に限定されないことは言うまでもない。当業者であれば、特許請求の範囲に記載された範疇内において、各種の変更例または修正例に想到し得ることは明らかであり、それらについても当然に本開示の技術的範囲に属するものと了解される。
【０１８９】
上記実施形態では、遠隔勤務支援システム５が検出装置１００を独立した装置として備えることを例示したが、これに限られない。例えば、検出装置１００の機能を、サーバ２００又は各勤務者端末３００が備えていてもよい。
【０１９０】
上記実施形態では、遠隔勤務支援システム５がサーバ２００を独立した装置として備えることを例示したが、これに限られない。例えば、サーバ２００の機能を、各勤務者端末３００が備えていてもよい。
【０１９１】
上記実施形態では、表示対象の仮想部屋ＲＶの候補は、複数用意されていてもよい。仮想部屋ＲＶの複数の候補は、複数のテンプレートとして、記憶部２３０に保持されていてよい。この場合、仮想部屋ＲＶの複数の候補は、通信部２２０，３２０を介して各勤務者端末３００へ送信され、各勤務者端末３００が、仮想部屋ＲＶの複数の候補の中から、操作部３４０を介して所望の１つの仮想部屋ＲＶを指定するようにしてもよい。仮想部屋ＲＶの複数の候補の中から１つの候補を指定することは、仮想執務室ＲＶ１及び仮想対話室ＲＶ２のいずれの選択にも適用可能である。なお、仮想部屋ＲＶの複数の候補は、リモート対話の種別毎にそれぞれ用意されてもよい。
【０１９２】
上記実施形態では、検出装置１００が有する各種センサは、サーモグラフィ等の勤務者ＨＭの体調（例えば発熱の状態）を測定するセンサを含んでもよい。この場合、各勤務者端末３００では、制御部３１０は、仮想勤務者ＨＶの画像に、勤務者ＨＭの体調の状態を反映して、表示部３５０に表示させてもよい。
【０１９３】
上記実施形態では、各勤務者ＨＭの動き情報が各仮想勤務者ＨＶの動きに逐次反映されることを説明したが、これに限られない。例えば、サーバ２００の制御部２１０又は各勤務者端末３００の制御部３１０が、各勤務者ＨＭの動き情報が各仮想勤務者ＨＶの動きに反映するか否かを指定可能であってもよい。また、サーバ２００が各勤務者ＨＭの動き情報の生成することは必須ではない。例えば、サーバ２００の制御部２１０は、動き情報を生成せずに、動きを認識し、認識された動きに基づいて各種処理を行えば足りる。
【０１９４】
上記実施形態では、仮想勤務者ＨＶが、実空間における対応する勤務者ＨＭを模した３Ｄモデル（アバター）であることを例示したが、これに限られない。例えば、仮想勤務者ＨＶの３Ｄモデルの少なくとも一部に、カメラ１４０により撮像された勤務者ＨＭの画像の少なくとも一部が貼り付けられてもよい。仮想勤務者ＨＶの３Ｄモデルの少なくとも一部と、勤務者ＨＭの画像の少なくとも一部とは、対応する部位である。例えば、仮想勤務者ＨＶの３Ｄモデルの顔部分又は体部分に、画像における勤務者ＨＭの顔部分又は体部分が貼り付けられてもよい。この場合でも、勤務者ＨＭの動きが仮想勤務者ＨＶの動きに反映される。
【０１９５】
上記実施形態では、仮想物体ＯＶが、実空間における対応する物体Ｏを模した３Ｄモデルであることを例示したが、これに限られない。例えば、仮想物体ＯＶの３Ｄモデルの少なくとも一部に、カメラ１４０により撮像された物体Ｏの画像の少なくとも一部が貼り付けられてもよい。仮想物体ＯＶの３Ｄモデルの少なくとも一部と、物体Ｏの画像の少なくとも一部とは、対応する部分である。
【産業上の利用可能性】
【０１９６】
本開示は、遠隔勤務中でも、社内で業務しているような臨場感があり、各勤務者の状態を直感的に認識できる遠隔勤務支援システム及び遠隔勤務支援方法等に有用である。
【符号の説明】
【０１９７】
５  遠隔勤務支援システム
１００  検出装置
１１０  制御部
１２０  通信部
１３０  記憶部
１４０  カメラ
１６０  位置取得部
１７０  方向取得部
２００  サーバ
２１０  制御部
２１２  動き処理部
２１４  組織表示処理部
２１５  リモート対話処理部
２２０  通信部
２３０  記憶部
３１０  制御部
３１１  データ取得部
３１４  組織表示処理部
３１５  リモート対話処理部
３１７  表示制御部
３２０  通信部
３３０  記憶部
３４０  操作部
３５０  表示部
３６０  マイクロホン
３７０  スピーカ
３８０  カメラ
Ｄ１  仮想空間領域
Ｄ２  特定領域
Ｄ３  通常作業領域
Ｃ  椅子
ＣＶ  仮想椅子
ＤＫ  デスク
ＤＫＶ  仮想デスク
ＨＭ  勤務者
ＨＭ１  遠隔勤務者
ＨＭ２  社内勤務者
ＨＶ，ＨＶ１，  仮想勤務者
ＨＶ３  仮想リモート対話出席者
Ｏ  物体
ＯＶ  仮想物体
ＯＶ１  仮想資料
ＯＶ１１  共通資料
ＯＶ１２  個人資料
ＲＲ，ＲＳ  部屋
ＲＶ  仮想部屋
ＲＶ１，ＲＶ１１，ＲＶ１２  仮想執務室
ＲＶ２  仮想対話室
ＲＶ２１  仮想会議室
ＲＶ２２  仮想面談室
【要約】      （修正有）【課題】遠隔勤務中でも、社内で業務しているような臨場感があり、各勤務者の状態を直感的に認識できる遠隔勤務支援システム及び方法を提供する。【解決手段】遠隔勤務支援システム５は、サーバ２００と、勤務者端末３００と、遠隔勤務者を含む勤務者の状態を検出する検出装置１００を備える。サーバ２００は、検出装置１００により検出された検出情報を取得し、各勤務者の動きを反映した各仮想勤務者を生成し、各仮想勤務者の情報を各勤務者端末３００へ送信する。各勤務者端末３００は、各仮想勤務者の情報をサーバ２００から取得し、各勤務者が勤務する社内の部屋に対応する仮想部屋の情報及び仮想部屋に配置される仮想物体の情報を取得し、各勤務者端末３００が備える表示部の第１の表示領域に表示し、表示された仮想勤務者又は仮想物体に対する操作を、各勤務者端末３００の操作部が検出した場合、操作に対応する情報を表示部の第２の表示領域に表示する。【選択図】図１【図１】
0006888854.tif 000002
【図２】
0006888854.tif 000003
【図３】
0006888854.tif 000004
【図４】
0006888854.tif 000005
【図５Ａ】
0006888854.tif 000006
【図５Ｂ】
0006888854.tif 000007
【図６】
0006888854.tif 000008
【図７Ａ】
0006888854.tif 000009
【図７Ｂ】
0006888854.tif 000010
【図８】
0006888854.tif 000011
【図９Ａ】
0006888854.tif 000012
【図９Ｂ】
0006888854.tif 000013
【図１０】
0006888854.tif 000014
【図１１Ａ】
0006888854.tif 000015
【図１１Ｂ】
0006888854.tif 000016
【図１２】
0006888854.tif 000017
【図１３】
0006888854.tif 000018